(57)【要約】エアロゾルキャニスター中に使用される噴射剤は環境にとって有害なことがある。本発明は、製品及び噴射剤を分注するためのエアロゾルキャニスター（１’）に及びエアロゾルキャニスター（１’）と共に使用するための製品計量弁に関する。キャニスター（１’）は液化又は圧縮ガス噴射剤を収容するための高圧室（３）と、ガス噴射剤を収容するための低圧室（５２）と、ガス噴射剤を収容するための製品貯留部（５４）と、を含んでいる。高圧室（３）と低圧室（５２）の間に圧力調整弁（９）が介在していて、圧力調整弁（９）は、低圧室（５２）内の圧力が既定圧力より下に降下したときに高圧室（３）から低圧室（５２）への流体流れ経路を提供するように適合されている。キャニスターは、更に、低圧室（５２）と製品貯留部（５４）の間に介在する隔壁（５６）を備えている。【選択図】図１
2019534828.tif 000002
【特許請求の範囲】
【請求項１】
製品を分注するためのエアロゾルキャニスターであって、前記キャニスターは、
液化又は圧縮ガス噴射剤を収容するための高圧室と、
ガス噴射剤を収容するための低圧室と、
分注されることになる製品を収容するための製品貯留部と、
前記高圧室と前記低圧室の間に介在する圧力調整弁であって、前記低圧室内の圧力が既定圧力より下に降下したときに前記高圧室から前記低圧室への流体流れ経路を提供するように適合されている圧力調整弁と、を備え、
前記キャニスターは、前記低圧室と前記製品貯留部の間に介在する隔壁を更に備えている、
キャニスター。
【請求項２】
請求項１に記載のキャニスターにおいて、前記製品貯留部は分注弁を受け入れるための開口部を有し、前記隔壁は分注弁を受け入れるための開口部を有している、キャニスター。
【請求項３】
非医用製品を分注するためのエアロゾルキャニスターであって、前記キャニスターは、
液化又は圧縮ガス噴射剤を収容している高圧室と、
非医用製品と気化した噴射剤とを収容している低圧室であって、分注弁を受け入れるための開口部を有している低圧室と、
前記高圧室と前記低圧室の間に介在する圧力調整弁であって、前記低圧室内の圧力が既定圧力より下に降下したときに前記高圧室から前記低圧室への流れ経路を提供するように適合されている圧力調整弁と、
を備えている、キャニスター。
【請求項４】
何れかの上記請求項に記載のキャニスターにおいて、前記圧力調整弁は、高圧端及び低圧端を有している管状弁ステムであって高圧端壁及び低圧端壁によって画定される弁本体の中を可動である管状弁ステム、を備えている、キャニスター。
【請求項５】
請求項４に記載のキャニスターにおいて、閉位置では、前記低圧室内の圧力によって、前記高圧端は前記高圧端壁によって画定される弁座に押し付けて閉じられ、その結果、前記高圧室からの前記管状弁ステムを通る流れが阻止される、キャニスター。
【請求項６】
請求項４又は請求項５に記載のキャニスターにおいて、前記管状弁ステムの前記低圧端にはステムフランジが設けられていて、前記低圧室内の圧力が前記弁を前記閉位置へ押し進めるために働きかけることのできる表面を前記ステムフランジが提供していてもよい、キャニスター。
【請求項７】
何れかの上記請求項に記載のキャニスターにおいて、前記液体噴射剤は二酸化炭素である、キャニスター。
【請求項８】
製品の計量された用量を分注するための計量弁であって、前記弁は、
噴射剤入口を有する噴射剤計量室及び製品入口を有する製品計量室を備える計量弁本体と、
分注ノズル、噴射剤入口プラグ、及び製品入口プラグを有する計量弁ステムと、を備え、
前記計量弁ステムは前記計量弁本体の中を分注位置へ可動であり、前記分注位置では、
前記噴射剤入口は前記噴射剤入口プラグによって封止され、前記製品入口は前記製品入口プラグによって封止され、
製品と噴射剤との計量された用量が前記キャニスターから分注されることができるように、前記噴射剤計量室及び前記製品計量室は前記分注ノズルを介して大気と流体連通にあり、
前記製品入口は前記分注ノズルの出口と前記製品計量室の間に位置決めされる、
計量弁。
【請求項９】
請求項８に記載の計量弁において、前記計量弁ステムは前記計量弁本体の中で前記分注位置と少なくとも１つの充填位置の間を可動であり、前記充填位置では、
使用時に噴射剤が前記噴射剤入口を介して前記噴射剤計量室に進入することができるように及び／又は製品が前記製品入口を介して前記製品計量室に進入することができるように、前記噴射剤入口と前記製品入口の少なくとも一方が開かれ、
前記噴射剤計量室と前記製品計量室の間に流体連通が阻止され、
前記計量弁本体と大気の間に流体連通が阻止される、
計量弁。
【請求項１０】
請求項９に記載の計量弁において、使用時に噴射剤が前記噴射剤入口を介して前記噴射剤計量室に進入することができ且つ製品が前記製品入口を介して前記製品計量室に進入することができるように、前記充填位置では、前記噴射剤入口と前記製品入口の両方が開かれる、計量弁。
【請求項１１】
請求項８から請求項１０の何れか一項に記載の計量弁において、前記噴射剤入口は、前記分注ノズルの前記出口から遠位の、前記計量弁本体の第１軸方向端に配置されている、計量弁。
【請求項１２】
請求項８から請求項１１の何れか一項に記載の計量弁であって、前記製品計量室を前記噴射剤計量室から分離するための、前記製品計量室と前記噴射剤計量室の間に介在する介在壁、を備えている計量弁。
【請求項１３】
請求項１２に記載の計量弁において、前記介在壁は前記計量弁ステムを受け入れるためのステム孔を備えている、計量弁。
【請求項１４】
請求項８から請求項１３の何れか一項に記載の計量弁において、前記分注ノズルは、側面ポート及び軸方向端面ポートを有する中空管を備えており、前記充填位置では、前記側面ポートと前記軸方向端面ポートはどちらも前記製品計量室から隔離され、その結果、前記製品計量室と前記分注ノズルの間に流体連通は無い、計量弁。
【請求項１５】
請求項１４に記載の計量弁において、前記側面ポートは前記分注位置では閉塞される、計量弁。
【請求項１６】
製品の計量された用量を、前記製品と噴射剤を収容しているキャニスターから分注するための計量弁であって、前記弁は、
噴射剤計量室及び製品計量室を備える計量弁本体と、
前記計量弁本体の中に収納されている計量弁ステムであって、前記製品計量室から延びる第１軸方向端の分注ノズル及び前記噴射剤計量室から延びる前記計量弁ステムの反対側の第２軸方向端部分を有している計量弁ステムと、を備え、
前記計量弁ステムは、
前記計量弁ステムの中を軸方向に延びる製品路と、
前記計量弁ステムの中を軸方向に延びる噴射剤路と、を備え、
前記計量弁ステムは前記計量弁本体の中を分注位置へ可動であり、前記分注位置では、
前記製品路と前記製品計量室の間に流体連通は無く、
前記噴射剤路と前記噴射剤計量室の間に流体連通は無く、及び、
前記噴射剤計量室及び前記製品計量室は、製品及び噴射剤の計量された用量が前記計量弁本体から分注されることができるように、前記計量弁ステムの前記分注ノズルを介して大気と流体連通にある、
計量弁。
【請求項１７】
請求項１６に記載の計量弁において、前記分注位置では、前記製品路と前記製品計量室の間の流体連通は、前記製品路の前記製品計量室からの隔離によって阻止される、計量弁。
【請求項１８】
請求項１７に記載の計量弁において、前記計量弁本体は、第１軸方向端壁、中間壁、及び第２軸方向端壁を備え、前記製品計量室は前記第１軸方向端壁と前記中間壁によって画定され、前記噴射剤計量室は前記中間端壁と前記第２軸方向端壁によって画定され、前記製品路は前記計量弁ステムの中で前記製品路の第１軸方向端の製品出口と前記計量弁ステムの前記第２軸方向端部分内の前記製品路の第２軸方向端の製品入口の間を軸方向に延びており、前記製品出口は前記分注位置では前記計量弁本体の前記中間壁によって閉塞される、計量弁。
【請求項１９】
請求項１６から請求項１８の何れか一項に記載の計量弁において、前記分注位置では、前記噴射剤路と前記噴射剤計量室の間の流体連通は、前記噴射剤路の前記噴射剤計量室からの隔離によって阻止される、計量弁。
【請求項２０】
請求項１９に記載の計量弁において、前記噴射剤路は、前記計量弁ステムに沿って、前記噴射剤路の第１軸方向端の噴射剤出口開口部／端と前記計量弁ステムの前記第２軸方向端部分内の前記路の第２軸方向端の噴射剤入口開口部／端の間を軸方向に延びており、前記噴射剤路の前記噴射剤計量室からの隔離は、前記噴射剤路の閉塞によって又は前記噴射剤出口開口部／端を前記噴射剤計量室の外に位置決めすることによって実現される、計量弁。
【請求項２１】
請求項１６から請求項２０の何れか一項に記載の計量弁において、前記分注ノズルは、側面ポート及び軸方向端面ポートを有する中空管を備えており、前記充填位置では、前記製品計量室と前記分注ノズルの前記軸方向端面ポートの間に流体連通が存在するように前記側面ポートは前記製品計量室の中に位置付けられる、計量弁。
【請求項２２】
請求項１６から請求項２１の何れか一項に記載の計量弁において、前記計量弁ステムは前記計量弁本体の中で前記分注位置と少なくとも１つの充填位置の間を可動であり、前記充填位置では、
使用時に製品が前記計量弁ステムを通って前記製品路経由で前記製品計量室に進入することができるように及び／又は噴射剤が前記計量弁ステムを通って前記噴射剤路経由で前記噴射剤計量室に進入することができるように、前記製品路と前記製品計量室は流体連通にあり及び／又は前記噴射剤路と前記噴射剤計量室は流体連通にあり、
前記噴射剤計量室と前記製品計量室の間に流体連通は無く、及び、
前記計量弁本体と大気の間に流体連通は無い、
計量弁。
【請求項２３】
請求項２２に記載の計量弁において、前記充填位置では前記製品路は閉塞されない、計量弁。
【請求項２４】
請求項２３に記載の計量弁において、前記製品路は前記計量弁ステムの中で前記製品路の第１軸方向端の製品出口と前記計量弁ステムの前記第２軸方向端部分内の前記製品路の第２軸方向端の製品入口の間を軸方向に延びており、前記製品出口は前記充填位置では前記製品計量室の中に位置決めされる、計量弁。
【請求項２５】
請求項２２から請求項２４の何れか一項に記載の計量弁において、前記噴射剤路は、前記計量弁ステムに沿って、前記噴射剤路の第１軸方向端の噴射剤出口開口部／端と前記計量弁ステムの前記第２軸方向端部分内の前記路の第２軸方向端の噴射剤入口開口部／端の間を軸方向に延びており、前記充填位置では、前記噴射剤出口開口部／端は前記噴射剤計量室の中に位置決めされるのに対し、前記噴射剤入口開口部／端は前記噴射剤計量室／計量弁本体の外に留まる、計量弁。
【請求項２６】
請求項２２から請求項２５の何れか一項に記載の計量弁において、前記計量弁ステムは前記計量弁ステムの中で半径方向入口開口部／端と半径方向出口開口部／端の間を軸方向に延びる接続路を更に備えており、前記充填位置では、前記接続路は前記噴射剤計量室から隔離される、計量弁。
【請求項２７】
請求項２２から請求項２６の何れか一項に記載の計量弁において、前記分注ノズルは、側面ポート及び軸方向端面ポートを有する中空管を備えており、前記充填位置では、前記側面ポートと前記軸方向端面ポートはどちらも前記製品計量室から隔離され、その結果、前記製品計量室と前記分注ノズルの間に流体連通は無い、計量弁。
【請求項２８】
請求項２７に記載の計量弁において、前記側面ポートは前記充填位置では閉塞される、計量弁。
【請求項２９】
請求項２８に記載の計量弁において、前記計量弁本体は、第１軸方向端壁、中間壁、及び第２軸方向端壁を備え、前記製品計量室は前記第１軸方向端壁と前記中間壁によって画定され、前記噴射剤計量室は前記中間端壁と前記第２軸方向端壁によって画定され、前記中間壁には、前記製品計量室の中を軸方向に延びていて前記分注ノズルを包囲している管状閉塞壁が設けられており、前記閉塞壁は前記充填位置では前記側面ポートを閉塞する、計量弁。
【請求項３０】
請求項８から請求項２９の何れか一項に記載の計量弁において、前記噴射剤計量室と前記製品計量室は前記分注位置では互いと流体連通にある、計量弁。
【請求項３１】
請求項８から請求項３０の何れか一項に記載の計量弁において、前記計量弁ステムは、前記計量弁ステムが前記分注位置にあるときに前記噴射剤計量室と前記製品計量室を流体接続する接続路を更に備えている、計量弁。
【請求項３２】
請求項３１に記載の計量弁において、前記接続路は、前記計量弁ステムの一部分の中で半径方向入口開口部と半径方向出口開口部の間を軸方向に延びている、計量弁。
【請求項３３】
請求項８から請求項３２の何れか一項に記載の計量弁において、前記計量弁ステムが前記分注位置にあるときは、前記分注ノズルは前記製品計量室を大気と流体接続する、計量弁。
【請求項３４】
請求項８から請求項１５の何れか一項に記載の計量弁を備え付けられた請求項３に記載のキャニスターを備える製品分注器。
【請求項３５】
請求項１６から請求項２９の何れか一項に記載の計量弁を備え付けられた請求項１又は請求項２の何れか一項に記載のキャニスターを備える製品分注器。
【発明の詳細な説明】
【技術分野】
【０００１】
本発明は、製品のエアロゾル噴霧を分注する場合に使用するためのエアロゾルキャニスターに関する。加えて、本発明は、キャニスターへ備え付けることのできる計量弁に関する。
【背景技術】
【０００２】
殺虫剤、塗料、家庭用品（例えば、消臭剤又は洗浄製品）、又は個人用品（例えば、防臭剤、制汗剤、又はヘアスプレー）の様なエアロゾル化製品を送達するのにエアロゾルキャニスターが使用されている。
【０００３】
製品は、開口端に分注弁を備え付けられた鋼又はアルミニウム製キャニスターに収容されるのが典型的である。分注弁のステムには、エアロゾル化製品を放出するように弁を動作させるためにキャニスターへ向けて押圧できる作動器が備え付けられている。分注弁は、更に、キャニスターの基底まで延びているディップチューブを備えており、製品は分注のためにディップチューブを通って搬送される。
【０００４】
製品にディップチューブを上らせ、製品をキャニスターからエアロゾルの形態で噴射するために、キャニスターの中には製品と共に液体又は圧縮ガス噴射剤が収容されている。
【０００５】
現在の液化ガス噴射剤は、主として、ｎ−ブタン、イソ−ブタン、プロパン、又はそれらの混合物の様な炭化水素類である。最も一般的な噴射剤はブタン−プロパン配合物（液化石油ガス（ｌｐｇとして知られている）である。これらの炭化水素噴射剤は、エアロゾルキャニスターを出てゆくや瞬時に気化し、非常に細かい噴霧を生成できる。炭化水素噴射剤は、キャニスターの中に２相（液体と飽和蒸気）システムを形成し、２相間には動的平衡が存在していて、キャニスターが充満であるか空に近いかにかわらずほぼ一定した蒸気圧を与える。これは、製品がほぼ一定した流量で送達され得るということを意味する。現在の液化ガス噴射剤が抱える主たる問題は、それらが可燃性ＶＯＣであるということだ。
【０００６】
空気又は窒素の様な燃え難い圧縮ガス噴射剤も使用されてはいるが、それらは霧化エネルギーを殆ど提供せず、噴霧があまり細かくならない。それらはまた、製品が分注されるにつれキャニスター内の圧力が減少するために一定しない製品送達流量をもたらす。
【０００７】
空気や窒素の様な圧縮不活性ガスを使用するキャニスターでの噴霧特性を改善しようとする試みが、分注弁の弁ステムを通る流れの中へ圧縮ガスを導入する分注弁（一般的には蒸気タップとして知られている）を使用することによってなされてきた。その様な分注弁が国際公開第２０１１／０６１５３１号に記載されている。この分注弁は著しく多くの構成要素を含んでいる。
【先行技術文献】
【特許文献】
【０００８】
【特許文献１】国際公開第２０１１／０６１５３１号
【発明の概要】
【発明が解決しようとする課題】
【０００９】
圧縮ガス噴射剤が使用される場合であっても安定した流量を維持することのできる改善されたエアロゾルキャニスターを提供する必要性が存在する。更に、製品の計量された用量を送達するのに使用できる単純化された分注弁の必要性が存在する。
【課題を解決するための手段】
【００１０】
第１の態様では、本発明は、非医用製品を分注するためのエアロゾルキャニスターを提供しており、当該キャニスターは、
液化又は圧縮ガス噴射剤を収容している高圧室と、
非医用製品と気化した噴射剤とを収容している低圧室であって、分注弁を受け入れるための開口部を有している低圧室と、
高圧室と低圧室の間に介在する圧力調整弁であって、低圧室内の圧力が既定圧力より下に降下したときに高圧室から低圧室への流れ経路を提供するように適合されている圧力調整弁と、
を備えている。
【００１１】
第２の態様では、本発明は、製品を分注するためのエアロゾルキャニスターを提供しており、当該キャニスターは、
液化又は圧縮ガス噴射剤を収容するための高圧室と、
ガス噴射剤を収容するための低圧室と、
分注されることになる製品を収容するための製品貯留部と、
高圧室と低圧室の間に介在する圧力調整弁であって、低圧室内の圧力が既定圧力より下に降下したときに高圧室から低圧室への流体流れ経路を提供するように適合されている圧力調整弁と、
を備え、
当該キャニスターは、低圧室と製品貯留部の間に介在する隔壁を更に備えている。
【００１２】
圧力調整弁によって高圧室と低圧室に分けられているキャニスターを提供することによって、液相と蒸気相の間の動的平衡を維持する可燃性液化噴射剤を使用する必要はもはやない。可燃性、臭気、及び環境への影響が低く、より簡単で安全な取り扱い／輸送／保存を有する二酸化炭素、窒素、亜酸化窒素、又は空気の様な圧縮ガス噴射剤を使用することが可能になる。２つの室及び圧力調整弁は、低圧室内の圧力がキャニスターの耐用年数全体を通して一定に保たれ、製品の一定した送達が維持されることを確約する。
【００１３】
発明の第１の態様の随意的特徴をこれより説明する。
【００１４】
幾つかの実施形態では、エアロゾルキャニスターは、高圧室と低圧室を密閉するためのハウジングを備えている。
【００１５】
幾つかの実施形態では、低圧室は、製品の溶液、懸濁液、又は乳濁液、例えば、製品の水性又はアルコール性溶液／懸濁液／乳濁液を収容している。溶液／懸濁液／乳濁液を形成するのに使用される溶媒は、（例えば）アセトン、エタノール、イソプロパノール、塩素化炭化水素、又はケロシンであってもよい。溶媒の性質は、エアロゾル化製品の所望の粒子サイズを制御するように選択されればよい。一部の製品についてはエタノールが好適である。
【００１６】
低圧室内の製品の懸濁液／溶液／乳濁液より上のヘッドスペースは気化した噴射剤（例えば二酸化炭素）で満たされるであろう。
【００１７】
製品は、殺虫剤（例えばピレトリン／ピレスロイド殺虫剤）、家庭用品である例えば塗料、消臭剤、磨き剤、又は洗浄剤、個人用品である例えばヘアスプレー、香水、防臭剤、又は消毒剤など、の様な消費者製品を備えていてもよい。
【００１８】
低圧室は隔壁を含み、隔壁の第１の側にはガス状噴射剤を収容するための噴射剤室が画定されていて隔壁の第２の側には製品を収容するための製品貯留部が画定されていてもよい。噴射剤室は隔壁と圧力調整弁の間に介在する。
【００１９】
隔壁は分注弁を受け入れるための開口部を有していてもよい。低圧室の開口部と隔壁の開口部は、例えばそれぞれが同じ分注弁を受け入れるために、軸方向に整列されていてもよい。それら開口部は更に圧力調整弁と軸方向に整列されていてもよい。
【００２０】
発明の第２の態様の随意的特徴をこれより説明する。
【００２１】
低圧室は隔壁と圧力調整弁の間に配置されている。このやり方では、低圧室は、以下により詳しく解説されている様に、高圧室から噴射剤を受け入れることができる。
【００２２】
製品貯留部は分注弁を受け入れるための開口部を含んでいてもよい。隔壁は分注弁を受け入れるための開口部を含んでいてもよい。隔壁の開口部と製品貯留部の開口部は、例えば同じ分注弁を受け入れるために、軸方向に相互整列されていてもよい。
【００２３】
幾つかの実施形態では、エアロゾルキャニスターは、高圧室と低圧室と製品貯留部を密閉するためのハウジングを備えている。
【００２４】
幾つかの実施形態では、低圧室は、噴射剤だけを収容しており（即ち実質的に製品を収容していない）、気化した噴射剤だけを収容しているのが望ましい。製品貯留部は製品だけを収容していてもよい（即ち実質的に噴射剤を収容していない）。製品貯留部は、製品の溶液、懸濁液、又は乳濁液、例えば、製品の水性又はアルコール性溶液／懸濁液／乳濁液を収容していてもよい。溶液／懸濁液／乳濁液を形成するのに使用される溶媒は、（例えば）アセトン、エタノール、イソプロパノール、塩素化炭化水素、又はケロシンであってもよい。溶媒の性質は、エアロゾル化製品の所望の粒子サイズを制御するように選択されればよい。一部の製品についてはエタノールが好適である。
【００２５】
製品は、殺虫剤（例えばピレトリン／ピレスロイド殺虫剤）、家庭用品である例えば塗料、消臭剤、磨き剤、又は洗浄剤、個人用品である例えばヘアスプレー、香水、防臭剤、又は消毒剤など、の様な消費者製品を備えていてもよい。
【００２６】
代わりに、製品は医用製品例えば吸入可能薬物であってもよい。吸入可能薬物は、β作動薬(例えば、サルブタモール、テルブタリン、フェノテロール)、長時間作用β作動薬（例えば、サルメテロール、ホルモテロール）、又は抗コリン薬（例えばイプラトロピウム臭化物、チオトロピウム臭化物など）の様な気管支拡張薬を備えていてもよい。吸入可能薬物は、ステロイド（例えば、ベクロメタゾン、ブレソニド、シクレソニド、フルチカゾン、トリアムシノロン）、又はクロモグリク酸薬（例えば、クロモグリク酸ナトリウム、ネドクロミルナトリウム）の様な抗炎症薬を備えていてもよい。吸入可能薬物は、ワクチン、インシュリン、抗生剤、抗真菌剤、抗菌剤、麻酔薬、肺表面活性物質、又は鎮痛薬を備えていてもよい。
【００２７】
第１の態様及び第２の態様の随意的特徴をこれより説明する。
【００２８】
高圧室は低圧室の外であってもよい。例えば、低圧室は高圧室から分離されていてもよい。幾つかの実施形態では、高圧室及び／又は低圧室はそれぞれが、２室の間に介在する圧力調節弁への接続のための個々の接続要素を備えている。これは、高圧室とは別に低圧室が製造されることを可能にする。
【００２９】
接続要素は、ねじ式、スナップ式、押し込み式、又は干渉嵌め式の接続であってもよい。
【００３０】
他の実施形態では、高圧室／低圧室は圧力調整弁と一体化されていてもよい。
【００３１】
幾つかの実施形態では、圧力調整弁は高圧室の上端に提供されている。この場合には、高圧室接続要素は高圧室の上端に提供されていてもよい。低圧室の、計量弁を受け入れるための開口部は、したがって、低圧室の上端に提供されていてもよい。開口部は低圧室から大気圧への経路を提供する。幾つかのその様な実施形態では、圧力調整弁は低圧室の下端に提供されている。この場合には、低圧室接続要素が低圧室の下端に提供されていてもよい。圧力調整弁は、高圧室の上端と低圧室の下端の間に介在し（及び随意的には一体化され）ていてもよい。これは、既知のエアロゾルキャニスターの外形と同様の細長い外形を有するキャニスターをもたらす。
【００３２】
他の実施形態（例えば、キャニスターが逆構成で使用される場合）では、圧力調整弁は高圧室の下端に設けられる。この場合には、高圧室接続要素は高圧室の下端に提供されていてもよい。圧力調整弁は低圧室の上端に提供されていてもよい。この場合には、低圧室接続要素は低圧室の上端に設けられていてもよい。幾つかの実施形態では、圧力調整弁は、高圧室の下端と低圧室の上端の間に介在し（及び随意的には一体化され）ている。これは、既知のエアロゾルキャニスターの外形と同様の細長い外形を有するキャニスターをもたらす。
【００３３】
幾つかの実施形態では、圧力調整弁は機械式弁であり、即ち、それは何らかの電気信号に応えてというのではなく低圧室内の圧力降下の結果としての弁構成要素に及ぶ力の変化に応えて動作するのである。
【００３４】
幾つかの実施形態では、圧力調整弁は、スキューバダイビング機材で使用されているようなディマンド弁である。その様な弁は、Ｂｅｓｗｉｃｋ  Ｅｎｇｉｎｅｅｒｉｎｇ社（米国）から供給され得る。
【００３５】
圧力調整弁は、低圧室内の圧力が既定圧力にあるときは、高圧室と低圧室の間に流体流れ経路の無い閉位置に向けて押し進められる。他の言い方をするなら、低圧室内の圧力が既定圧力にあるとき、高圧室と低圧室の間の流体流れ経路は閉じられているということである。
【００３６】
低圧室が、例えば噴射剤が低圧室から分注されたせいで、既定圧力より下に降下したときに、圧力調整弁は、高圧室から低圧室への流体流れ経路が存在する開位置へと（高圧室内の流体圧力によって）押し進められることになる。他の言い方をするなら、高圧室と低圧室の間の流体経路が開かれるということである。
【００３７】
開位置では、高圧室からの液化又は圧縮ガス噴射剤は低圧室へ流入し、やがて低圧室内の圧力が既定圧力に一致すると、圧力調整弁は再度閉じるように強いられる。
【００３８】
こうして、圧力調整弁に及ぶ力を高圧室内の加圧流体と低圧室内の加圧流体によって入念に制御することによって、圧力調整弁は、既定圧力より下で開く／既定圧力より上で閉じることができる。
【００３９】
幾つかの実施形態では、圧力調整弁は、高圧端壁（高圧室に隣接）及び低圧端壁（低圧室に隣接）によって画定される弁本体の中を可動である管状弁ステムを備えている。各端壁は高圧室／低圧室それぞれとの連通のための少なくとも１つの開口部を有している。弁本体の高圧端壁は高圧室の上端を画定していてもよい。弁本体の低圧端壁は低圧室の下端を画定していてもよい。
【００４０】
管状弁ステムは高圧端及び低圧端を有している。高圧端の表面積と低圧端の表面積は、圧力調整弁が既定圧力より上で閉じる／既定圧力より下で開くことができるように選択されてもよい。高圧端は低圧端より狭い表面積を有していてもよい。高圧端の表面積と低圧端の表面積は、圧力調整弁が既定圧力にて閉じる寸法であるのが望ましい。
【００４１】
閉位置では、低圧室内の圧力によって、高圧端は高圧端壁によって画定される弁座に押し付けて閉じられ、その結果、高圧室からの管状弁ステムを通る流れは阻止される。開位置では、低圧室内の減少した圧力が高圧端を弁座／高圧端壁から離して推し進め、その結果、液化又は圧縮ガス噴射剤は高圧室から管状弁ステムを通って低圧室の中へと弁本体の低圧端壁を通って流入することができる。
【００４２】
管状弁ステムの低圧端には、ステムフランジ例えば環状ステムフランジが設けられていて、圧力調整弁を閉位置（管状弁ステムの高圧端が弁本体の高圧端壁によって画定されている弁座に押し付けて保持される状態）へ押し進めるために低圧室内の圧力が高圧室内の流体圧力に逆らって働きかけることのできる表面をステムフランジが提供していてもよい。開位置では、ステムフランジは弾性要素の力の下で低圧端へ向けて押し進められ、及び低圧端に当接することができる。
【００４３】
幾つかの実施形態では、圧力調整弁を開位置に付勢するのに弾性要素（例えばコイルばね／螺旋ばね）が提供されていてもよい。
【００４４】
弾性要素のばね定数は、圧力調整弁を閉位置に引き留めるために低圧室内に必要とされる圧力を確定するように選択されていてもよい。ひとたび低圧室内の圧力が（キャニスターからの製品放出の結果として）この既定圧力より下に降下するや、弾性要素が圧力調整弁に開くよう強いるので、その結果、高圧室からの液化又は圧縮ガス噴射剤が低圧室の中のヘッドスペースへ流入し、やがて低圧室内の圧力が既定圧力に一致すると、圧力調整弁は再度閉じるように強いられる。
【００４５】
弾性要素の付勢力は、例えば圧力調整弁が既定圧力にて閉じることを確約するために、高圧室内の流体及び低圧室内の流体によって圧力調整弁へ加えられる力を増補することができる。例えば、弾性要素は、低圧室が既定圧力より下に降下したときに圧力調整弁を開位置へ付勢するのを手助けすることができる。
【００４６】
開位置では、弾性要素は高圧端を弁座／高圧端壁から離して付勢し、その結果、液化又は圧縮ガス噴射剤は高圧室から管状弁ステムを通って低圧室内へと弁本体の低圧端壁を通って流入することができる。閉位置では、低圧室内の既定圧力が弾性要素の付勢力に打ち勝って高圧端を弁座／高圧端壁へ向けて動かし、その結果、液化／圧縮ガス噴射剤は高圧室から低圧室へ流れることができなくなる。
【００４７】
弾性要素は、高圧端壁近くの弁本体の壁から垂れさがってステムフランジと弁本体フランジ（例えば環状フランジ）の間に付着されていてもよい。弾性要素は閉位置では２つのフランジの間で圧縮されることになる。弾性要素（例えばコイルばね）は管状弁ステムの周りを取り巻いていてもよい。
【００４８】
圧力調整弁本体の低圧端壁の開口部を少なくとも部分的に塞ぐために、ガス透過性（液体不透過性）部材である例えば多孔質フリットが圧力調整弁内に又は低圧室内に提供されていてもよい。これは、低圧室から高圧室内への及び／又はその逆の液体の何らかの漏出を防止するのに役立つ。
【００４９】
弁本体の側壁は、中空弁ステムフランジと弁本体フランジの間に画定される体積の変化に適応するために弁本体フランジと低圧端壁の間に（大気への）少なくとも１つの脱気孔を備えていてもよい。少なくとも１つの脱気孔は、それが常に弁ステムフランジの高圧側にあるように位置決めされる。
【００５０】
好適な実施形態では、液体噴射剤は二酸化炭素であり、高圧室は液化二酸化炭素を収容している。高圧室の中の圧力は２０℃で約６０００ｋＰａ乃至７０００ｋＰａであってもよいし、又は約１５，０００ｋＰａのようにいっそう高くてもよい。高圧室は典型的には約１０ｍｌ−１００ｍｌの体積を有しているだろう。
【００５１】
この場合には、高圧室は、Ｌｅｌａｎｄ  Ｇａｓｅｓ社（米国）によって供給されている様な高圧二酸化炭素キャニスターであってもよい。
【００５２】
二酸化炭素は、ＶＯＣに比べ環境への影響が小さいという理由のみならず容易に入手可能である（例えば醸造プロセスの副産物として）という理由からも特に好適である。しかもそれは昆虫誘引物質である（故に製品が殺虫剤である場合は理想的である）。
【００５３】
噴射剤は、圧縮された空気、窒素、亜酸化窒素、酸素、ヘリウム、アルゴン、又はキセノンの様な、圧縮ガスを備えていてもよいだろう。
【００５４】
低圧室の中の圧力は大気圧より上ということになろう。それは約３００ｋＰａであってもよい。それは最大圧の約１０００ｋＰａにあってもよい。低圧室の中の圧力は、エアロゾル化製品の所望の粒子サイズを提供するように（例えば、溶液／懸濁液／乳濁液を形成するのに使用される溶媒と組み合わせて）選択されればよい。
【００５５】
ハウジングは分注弁が通って延びることになる開口を含んでいてもよい。ハウジングは、分注弁の周りにシール、例えば気密シール、を形成しているのが望ましい。ハウジングは、円筒状ハウジングを備えていて、例えばアルミニウム又は鋼から形成されていてもよい。ハウジングは、圧力調整弁から追い出される空気の大気への脱気、つまり中空弁ステムフランジと弁本体フランジの間の体積変化時の脱気を可能にさせる弁を備えていてもよい。
【００５６】
幾つかの実施形態（特に製品が殺虫剤又は消臭剤である場合）には、キャニスターは製品を自動的に分注するための自動作動器を備えていてもよい。自動作動器は、既知の型式、例えば規則的な時間間隔で及び／又はキャニスターの近傍に動きを検知した際に製品を自動的に分注するように構成されている型式であってもよい。
【００５７】
分注弁は、Ｂｅｓｐａｋ社又はＳａｌｖａｌｃｏ社によって製造されている様な既知の型式であってもよい。
【００５８】
他の実施形態では、キャニスターは計量された用量を分注するための分注弁を有していてもよい。これは、製品が殺虫剤である場合にはなおいっそう望ましく、というのも殺虫剤は効能がますます強力になってきているからだ。分注弁は以下に記載の第３の態様及び第４の態様による計量弁であってもよい。
【００５９】
第３の態様では、本発明は、製品の計量された用量を、製品と噴射剤を収容しているキャニスターから分注するための計量弁を備えており、弁は、
噴射剤計量室及び製品計量室を備える計量弁本体と、
計量弁本体の中に収納されている計量弁ステムであって、製品計量室から延びている第１軸方向端の分注ノズル及び噴射剤計量室から延びている計量弁ステムの反対側の第２軸方向端部分を有している計量弁ステムと、を備え、
計量弁ステムは、
計量弁ステムの中を軸方向に延びている製品路と、
計量弁ステムの中を軸方向に延びている噴射剤路と、を備え、
計量弁ステムは計量弁本体の中で分注位置へ可動であり、分注位置では、
製品路と製品計量室の間に流体連通は無く、
噴射剤路と噴射剤計量室の間に流体連通は無く、及び、
噴射剤計量室及び製品計量室は、製品及び噴射剤の計量された用量が計量弁本体から分注されることができるように、計量弁ステムの分注ノズルを介して大気と流体連通にある。
【００６０】
分注ノズルを介して大気と流体連通する別々の噴射剤計量室と製品計量室を備える計量弁本体を有する計量弁を提供することによって、計量弁本体（ひいてはキャニスター）を出てゆく製品及び噴射剤の一定した比を提供することが可能となり、その結果、エアロゾル化製品の粒子サイズの制御が最適化される。
【００６１】
第３の態様の随意的特徴をこれより説明する。
【００６２】
幾つかの実施形態では、計量弁ステムは計量弁本体の中で分注位置と少なくとも１つの充填位置の間を可動であり、充填位置では、
使用時に製品が計量弁ステムを通って製品路経由で製品計量室に進入することができるように及び／又は噴射剤が計量弁ステムを通って噴射剤路経由で噴射剤計量室に進入することができるように、製品路と製品計量室は流体連通にあり及び／又は噴射剤路と噴射剤計量室は流体連通にあり、
噴射剤計量室と製品計量室の間に流体連通は無く、及び、
計量弁本体と大気の間に流体連通は無い。
【００６３】
単数又は複数の充填位置では、噴射剤計量室及び製品計量室は、分注位置で両室から分注ノズルを介して大気へ分注するための準備として、計量弁ステムを通してそれぞれ噴射剤及び製品で充満する。
【００６４】
幾つかの実施形態では、計量弁ステムは、コイルばねの様な弾性部材によって少なくとも１つの充填位置へ向けて付勢される。弾性部材は、製品計量室内に提供されていてもよいし、又は噴射剤計量室内に提供されていてもよい。それは製品計量室／噴射剤計量室内で計量弁ステムを取り巻いていてもよい。
【００６５】
幾つかの実施形態では、噴射剤計量室と製品計量室は分注位置では互いと（及び分注ノズルを介して大気と）流体連通にある。例えば、噴射剤計量室は製品計量室を介して分注ノズルと流体連通にあってもよい。このやり方では、噴射剤及び製品は同時に分注されることができる。
【００６６】
幾つかの実施形態では、噴射剤計量室は管状、例えば円筒状をしていてもよい。噴射剤計量室は、製品の一回用量を送達するのに適した噴射剤の既定分量を保持するサイズであってもよい。噴射剤計量室は１０００マイクロリットルから１００００マイクロリットルの間の体積を有していてもよい。
【００６７】
幾つかの実施形態では、製品計量室は管状、例えば円筒状をしていてもよい。製品計量室は、製品の既定分量を保持するサイズであってもよい。製品計量室は、１０マイクロリットルから１００マイクロリットルの間の体積、例えば２５マイクロリットルから１００マイクロリットルの間の体積を有していてもよい。
【００６８】
製品計量室対噴射剤計量室の相対体積比は約１：１００であるのが望ましい。
【００６９】
計量弁本体は、第１軸方向端壁、中間壁、及び第２軸方向端壁を備え、製品計量室は第１軸方向端壁と中間壁によって画定されていて、噴射剤計量室は中間端壁と第２軸方向端壁によって画定されていてもよい。中間壁には、製品計量室の中を軸方向に延びていて分注ノズルを包囲している管状閉塞壁が設けられていて、閉塞壁は、分注位置での接続路と製品計量室の間の流体連通を許容するために少なくとも１つの半径方向開口を備えていてもよい。
【００７０】
第１軸方向端壁は、計量弁ステムの分注ノズルを受け入れるための第１計量弁ステム孔を備え、分注ノズルが弁本体から弁本体の第１軸方向壁を貫いて延びていてもよい。
【００７１】
中間壁は、計量弁ステムを受け入れるための中間計量弁ステム孔を備えていてもよい。
【００７２】
中間壁は、二重壁であってもよく（中間弁ステム孔は両壁部分を貫いて延びる）、つまり、製品計量室と噴射剤計量室を離間させる中間室があってもよいだろうということである。
【００７３】
第２軸方向端壁は、計量弁ステムの第２軸方向端部分を受け入れるための第２計量弁ステム孔を備え、計量弁ステムの第２軸方向端部分は弁本体から弁本体の第２軸方向端壁を貫いて延びていてもよい。
【００７４】
それら計量弁ステム孔は、噴射剤／製品の弁ステム孔を通る漏出を防止するために計量弁ステムの周りにシールを形成する寸法である。それら計量弁ステム孔は、それぞれ、計量弁ステムの周りの封止を支援するための各個のガスケットを備えていてもよい。
【００７５】
計量弁ステムは、噴射剤計量室及び製品計量室の中を、製品計量室から延びるそれの第１軸方向端の分注ノズル（即ち計量弁ステムの第１軸方向端部分は計量弁本体の外にある）から、噴射剤計量室から延びる第２軸方向端部分（即ち計量弁ステムの第２軸方向端部分は計量弁本体の外にある）まで、延びている。
【００７６】
計量弁ステムは実質的に円筒状であるのが望ましい。
【００７７】
幾つかの実施形態では、製品路は計量弁ステムの中で製品路の第１軸方向端の製品出口と計量弁ステムの第２軸方向端部分内の製品路の第２軸方向端の製品入口の間を軸方向に延びている。
【００７８】
分注位置では、製品路と製品計量室の間の流体連通は、製品路／製品出口の製品計量室からの隔離によって阻止されることができる。製品路／出口の製品計量室からの隔離は、製品路の閉塞、例えば製品出口の閉塞によって実現されてもよいし、又は分注位置で製品出口が噴射剤計量室の中に位置付けられることによって実現されてもよい。
【００７９】
製品出口は、半径方向開口部、即ち計量弁ステムの側壁の開口部であってもよい。
【００８０】
分注位置では、（半径方向の）製品出口は弁本体の中間壁と整列され（及び中間壁によって閉塞され）てもよく、即ち製品出口が中間計量弁ステム孔の中に位置決めされるようになっていてもよい。他の実施形態では、分注位置では製品出口は噴射剤計量室の中に位置決めされるようになっていてもよい。
【００８１】
製品入口は、（計量弁本体の外に）計量弁ステムの第２軸方向端部分内に設けられている。製品入口は、軸方向開口部、即ち計量弁ステムの第２軸方向端部分の軸方向端面に設けられている開口部であってもよい。軸方向製品入口は、計量弁ステムの第２軸方向端部分の軸方向端面の中心からオフセットして設けられていてもよい。
【００８２】
製品路は、（噴射剤計量室の中の）計量弁ステムを通って（例えば軸方向の）製品入口から（例えば半径方向の）製品出口まで軸方向に延びている管状導管であるのが望ましい。製品路の軸方向延長は噴射剤計量室の軸方向延長より大きい。
【００８３】
使用時に製品がキャニスター内から計量弁ステムを通って製品路経由で製品計量室に進入することができるように、充填位置では製品路と製品計量室の間に流体連通が提供される。充填位置では、製品路／製品出口は閉塞されず、製品出口は製品計量室の中に位置決めされる。
【００８４】
計量弁ステムは、更に、第２軸方向端部分へ備え付けられている、例えば第２軸方向部分の軸方向端面に接続されている管状延長部（例えば可撓性管状延長部）を備えていてもよい。管状延長部は製品路と流体連通にある。
【００８５】
幾つかの実施形態では、噴射剤路は、計量弁ステムの中を、噴射剤路の第１軸方向端の噴射剤出口開口部と計量弁ステムの第２軸方向端部分内の当該路の第２軸方向端の噴射剤入口開口部の間を軸方向に延びている管状導管であってもよい。
【００８６】
他の実施形態では、噴射剤路は計量弁ステムに沿って噴射剤出口端と噴射剤入口端の間を軸方向に延びている溝／陥凹であり、噴射剤入口端は計量弁ステムの第２軸方向端部分内に設けられていてもよい。
【００８７】
分注位置では、噴射剤路と噴射剤計量室の間の流体連通は、噴射剤路（例えば噴射剤出口開口部／端）の噴射剤計量室からの隔離によって阻止されるようになっていてもよい。これは、噴射剤路の閉塞、例えば噴射剤出口開口部／端の閉塞によって実現されてもよいし、又は噴射剤出口開口部／端を噴射剤計量室（及び計量弁本体）の外に位置決めすることによって実現されてもよい。
【００８８】
噴射剤出口開口部は半径方向開口部、即ち計量弁ステムの側壁の開口部であってもよい。噴射剤出口開口部／端は、分注位置で弁本体の第２軸方向端壁によって閉塞されるようになっていてもよい。例えば、噴射剤出口開口部／端は、分注位置では弁本体の第２軸方向端壁の第２計量弁ステム孔の中に位置決めされてもよい。
【００８９】
噴射剤入口開口部／端は、（計量弁本体の外に）計量ステム弁の第２軸方向端部分内に設けられている。噴射剤入口開口部は、半径方向開口部、即ち計量弁ステムの第２軸方向端部分の側壁に提供されている開口部であってもよい。噴射剤入口開口部／端は、噴射剤出口開口部／端よりも、計量弁ステムの第２軸方向端部分の軸方向端面に近接して設けられるだろう。噴射剤入口開口部／端は、（製品路の）製品出口よりも、計量弁ステムの第２軸方向端部分の軸方向端面から遠くに設けられるだろう。
【００９０】
噴射剤路は、計量弁ステムを通って／計量弁ステムに沿って、噴射剤入口開口部／端から噴射剤出口開口部／端へ軸方向に延びている。噴射剤路の軸方向延長は、噴射剤計量室の軸方向延長より小さく、噴射剤路の軸方向延長より小さい。
【００９１】
噴射剤路は、計量弁ステムの中を／計量弁ステムに沿って、製品路の一部分に平行し隣接して軸方向に延びている。
【００９２】
使用時に噴射剤がキャニスターの中から計量弁ステムを通って／介して噴射剤路経由で噴射剤計量路に進入することができるように、充填位置では、噴射剤路と噴射剤計量室の間に流体連通が提供される。充填位置では、噴射剤出口開口部／端は、噴射剤計量室の中に位置決めされるのに対し、噴射剤入口開口部／端は噴射剤計量室／計量弁本体の外に留まる。
【００９３】
計量弁ステムは、更に、噴射剤計量室の中を延びている噴射剤計量室フランジ（例えば環状フランジ）又は突出部を備えていてもよい。噴射剤計量室フランジ／突出部は、充填位置では（噴射剤計量室側で）弁本体の中間壁に対する当接によって、計量弁ステムの軸方向運動を制限する働きをする。充填位置では、それは更に、（噴射剤計量室側で）弁本体の中間壁の中間計量弁ステム孔を封止する手助けをし、ひいては噴射剤計量室と製品計量室の間の流体連通を阻止する手助けをする。噴射剤計量室フランジ／突出部は、更に、弾性部材のための座を提供していてもよい。弾性部材は噴射剤計量室の中で噴射剤計量室フランジと弁本体の第２軸方向端壁の間に保持されていてもよい。
【００９４】
計量弁ステムは、更に、計量弁ステムが分注位置にあるときに噴射剤計量室を製品計量室に流体接続する、軸方向に延びる接続路を含んでいてもよい。
【００９５】
幾つかの実施形態では、接続路は計量弁ステムの中で半径方向入口開口部と半径方向出口開口部（どちらも計量弁ステムの側壁に設けられている）の間を軸方向に延びる管状導管であってもよい。
【００９６】
他の実施形態では、接続路は計量弁ステムに沿って入口端と出口端の間を軸方向に延びる溝／陥凹であってもよい。
【００９７】
分注位置では、接続路の入口開口部／端は噴射剤計量室の中に位置決めされ、接続路の出口開口部／端は製品計量室の中に位置決めされる。
【００９８】
充填位置では、接続路、例えば接続路の入口開口部／端は噴射剤計量室から隔離され、例えば弁本体の中間壁と整列され（及び中間壁によって閉塞され）、つまり接続路の入口開口部／端は中間計量弁ステム孔の中に位置決めされることになるわけである。他の実施形態では、充填位置では、接続路の入口開口部／端は製品計量室の中に位置決めされ、したがって噴射剤計量室から隔離される。
【００９９】
幾つかの実施形態では、接続路の一部分は製品路に平行し隣接して延びていてもよい。製品出口は接続路と半径方向に整列されていてもよい。幾つかの実施形態では、製品出口は接続路の中央軸方向端部分と整列され、つまり、製品出口は半径方向に接続路の入口開口部／端と出口開口部／端の間に介在してもよいということである。他の実施形態では、製品出口は半径方向に接続路の入口開口部／端と整列されている。
【０１００】
計量弁ステムは、更に、製品計量室の中を延びている製品計量室フランジ（例えば環状フランジ）又は突出部を備えていてもよい。製品計量室フランジ／突出部は、充填位置では弁本体の第１軸方向端壁に対する当接によって、計量弁ステムの軸方向運動を制限する働きをする。充填位置では、それは更に、弁本体の第１軸方向端壁の第１計量弁ステム孔を封止する手助けをし、ひいては製品計量室と分注ノズル／大気の間の流体連通を阻止する手助けをする。製品計量室フランジ／突出部は、更に、弾性部材のための座を提供していてもよい。弾性部材は製品計量室の中で製品計量室フランジと弁本体の中間壁の間に保持されていてもよい。
【０１０１】
接続路は、製品計量室フランジと噴射剤計量室フランジの間に介在する計量弁ステム上に／計量弁ステムを貫いて設けられている。製品出口は、製品計量室フランジと噴射剤計量室フランジの間に介在する計量弁ステム上に設けられている。
【０１０２】
幾つかの実施形態では、分注ノズルは側面ポート及び軸方向端面ポートを有する中空管である。充填位置では、側面ポートと軸方向端面ポートのどちらもが製品計量室から隔離され、その結果、製品計量室と分注ノズルの間に流体連通は無い。
【０１０３】
幾つかの実施形態では、充填位置では、側面ポートと軸方向端面ポートのどちらもが製品計量室／計量弁本体の外に位置付けられる。これらの実施形態では、側面ポートは製品計量室フランジよりも軸方向端面ポートに近接しており、つまり、側面ポートと軸方向端面ポートの間の間隔は製品計量室フランジと軸方向端面ポートの間の間隔より小さいということである。
【０１０４】
他の実施形態では、側面ポートは充填位置では閉塞される。これらの実施形態では、中間壁には製品計量室の中を軸方向に延びている閉塞壁が設けられ、充填位置では閉塞壁が側面ポートと整列され、その結果、側面ポートが閉塞されるようになっていてもよい。閉塞壁は全体的又は部分的に管状の壁であってもよく、例えば製品計量室の中で分注ノズル／計量弁ステムを全体的又は部分的に包囲していてもよい。閉塞壁は中間壁から分離していてもよいし、又は中間壁と一体であってもよい。閉塞壁は少なくとも１つの半径方向開口を備えている。
【０１０５】
これらの実施形態では、側面ポートは製品計量室フランジよりも軸方向端面ポートから遠く、つまり側面ポートと軸方向端面ポートの間の間隔は製品フランジと軸方向端面ポートの間の間隔よりも大きいということである。他の言い方をするなら、製品計量室フランジは軸方向ポートと側面ポートの間に介在するということである。
【０１０６】
分注位置では、側面ポートは製品計量質の中に位置付けられ、その結果、製品計量質と分注ノズル（大気へ脱気する）の軸方向端面ポートの間に流体連通が存在する。製品計量室内で計量弁に閉塞壁が提供されている場合、側面ポートは分注位置では閉塞壁の少なくとも１つの半径方向開口の１つと整列され、その結果、製品計量室からの製品（及び噴射剤計量室から接続路経由で運ばれる噴射剤）は閉塞壁の半径方向開口を介して分注ノズルに進入することができる。
【０１０７】
閉塞壁の高さ／軸方向延長は、分注位置で製品計量室フランジ／突出部が閉鎖壁に当接するように選択されてもよい。
【０１０８】
製品計量室内で計量弁に閉塞壁が設けられ、閉塞壁が接続路の出口開口部／端の位置で計量弁ステムを包囲する場合は、分注位置での接続路と製品計量室の間の流体連通を可能にするために閉塞壁には少なくとも１つの更なる半径方向開口が設けられる。
【０１０９】
分注ノズルの側面ポート及び接続路の出口開口部／端は計量弁ステム上で直径方向に互いに反対側にあってもよい。この事例で閉塞壁が設けられる場合、閉塞壁は計量弁ステムを包囲し且つ互いに反対側の半径方向開口を有する管状閉塞壁とすることができる。半径方向開口は直径方向に互いに反対側とすることができる。
【０１１０】
要約すると、好適な実施形態では、充填位置で、
製品路／製品出口開口部は閉塞されず、製品計量室と流体連通にあり、その結果、製品は製品路を通って製品計量室を充填するように流れ、
噴射剤路／噴射剤出口開口部／端は閉塞されず、噴射剤計量室と流体連通にあり、その結果、噴射剤は噴射剤路を通って噴射剤計量室を充填するように流れ、
弁本体の第１軸方向端壁の第１計量弁ステム孔は、分注ノズルによって、及び製品計量室フランジ／突出部が弁体の第１軸方向端壁に当接することによって、封鎖/封止され、
弁本体の中間壁の中間計量弁ステム孔は、計量弁ステムによって、及び噴射剤計量室フランジ／突出部が（噴射剤計量室側で）弁本体の中間壁に当接することによって、封鎖／封止され、
接続路の入口開口部／端は、例えば弁本体の中間壁による閉塞の結果として又は製品計量室の中に位置決めされることによって、噴射剤計量室から隔離され、その結果、噴射剤計量室からの当該路を通る流れは無く、及び、
分注ノズルの側面ポートは、例えば製品計量室の外に（計量弁本体の外に）位置決めされることによって又は閉塞壁による閉塞の結果として、製品計量室から隔離され、その結果、分注ノズルを通る製品／噴射剤の流れは無い、
ということである。
【０１１１】
分注位置では、計量弁ステムは計量弁本体の中へと動き、その結果、好適な実施形態では、
製品路／製品出口は、例えば弁本体の中間壁による閉塞の結果として、又は噴射剤計量室の中に位置決めされることによって、製品計量室から隔離され、
噴射剤路／噴射剤出口開口部／端は、閉塞され又は噴射剤計量室から隔離され、
弁本体の第１軸方向端壁の第１計量弁ステム孔は分注ノズルによって封鎖／封止されるが、製品計量室フランジ／突出部は弁本体の第１軸方向端壁から退座し（及び閉塞壁が存在する場合は閉塞壁に当接することになり）、
噴射剤計量室フランジ／突出部は（噴射剤計量室側で）弁本体の中間壁から退座し、
接続路の入口開口部／端は噴射剤計量室の中に位置決めされ、その結果、噴射剤計量室から当該路を通り製品計量室に入る流れが存在し、及び、
分注ノズルの側面ポートは製品計量室の中に（計量弁本体の中に）あり、閉塞されず、その結果、分注ノズルを通って軸方向端面ポートを介して大気へ向かう製品／噴射剤の流れが存在する。
【０１１２】
第４の態様では、本発明は、製品の計量された用量を分注するための計量弁を備えており、弁は、
噴射剤入口を有する噴射剤計量室及び製品入口を有する製品計量室を備える計量弁本体と、
分注ノズル、噴射剤入口プラグ、及び製品入口プラグを有する計量弁ステムと、を備え、
計量弁ステムは計量弁本体の中を分注位置へ可動であり、分注位置では、
噴射剤入口は噴射剤入口プラグによって封止され、製品入口は製品入口プラグによって封止され、
製品と噴射剤との計量された用量がキャニスターから分注されることができるように、噴射剤計量室及び製品計量室は分注ノズルを介して大気と流体連通にあり、及び、
製品入口は分注ノズルの出口と製品計量室の間に位置決めされる。
【０１１３】
分注ノズルを介して大気と流体連通する別々の噴射剤計量室と製品計量室を備える計量弁本体を有する計量弁を提供することによって、計量弁本体（ひいてはキャニスター）を出てゆく製品及び噴射剤の一定した比を提供することが可能となり、その結果、エアロゾル化製品の粒子サイズの制御が最適化される。
【０１１４】
また、分注ノズルの出口と製品計量室の間に入口を設けることによって、製品計量室は、計量弁が直立構成にある場合、例えば分注ノズルが製品計量室より上に配置されている場合には、重力によって充満することができる。したがって製品貯留部は加圧下に維持される必要が無い。
【０１１５】
第４の態様の随意的特徴をこれより説明する。
【０１１６】
噴射剤計量室及び製品計量室は円筒状であってもよく、例えば計量弁の円筒状外面によって規定される円筒状であってもよい。噴射剤計量室は、製品の一回用量を送達するのに適する噴射剤の既定分量を保持するサイズとすることができる。例えば、製品計量室は１０マイクロリットルから５０マイクロリットルの間の体積を有していてもよい。製品計量室対噴射剤計量室の相対体積比は約１：１００であるのが望ましい。したがって、噴射剤計量室は１０００マイクロリットルから５０００マイクロリットルの間の体積を有していてもよい。
【０１１７】
噴射剤入口プラグ及び製品入口プラグは、それぞれ、製品入口及び噴射剤入口を封止するためのＯリングを備えていてもよい。製品入口プラグは噴射剤入口プラグと分注ノズルの間に提供されていてもよい。
【０１１８】
噴射剤計量室と製品計量室は分注位置では互いと流体連通するようになっていてもよい。このやり方では、噴射剤と製品は同時に分注されることができる。
【０１１９】
計量弁ステムは、計量弁本体の中で分注位置と充填位置の間を可動であってもよく、使用時に噴射剤が噴射剤入口を介して噴射剤計量室に進入することができるように及び／又は製品が製品入口を介して製品計量室に進入することができるように、充填位置では、製品入口と噴射剤入口の少なくとも一方が開かれ、噴射剤計量室と製品計量室の間に流体連通は阻止され、計量弁本体と大気の間に流体連通は阻止される。
【０１２０】
計量弁ステムは、弾性部材である例えばコイルばねによって、少なくとも１つの充填位置へ向けて付勢されていてもよい。弾性部材は製品計量室内に提供されていてもよいし又は噴射剤計量室内に提供されていてもよい。それは製品計量室／噴射剤計量室内の計量弁ステムを取り巻いていてもよい。
【０１２１】
使用時に噴射剤が噴射剤入口を介して噴射剤計量室に進入することができ且つ製品が製品入口を介して製品計量室に進入することができるように、充填位置では、噴射剤入口と製品入口の両方が開かれるようになっていてもよい。
【０１２２】
計量弁ステムは、噴射剤計量室及び製品計量室の中を、それの第１軸方向端の噴射剤入口プラグ（噴射剤計量室の中）からそれの第２軸方向端の分注ノズル（製品計量室に隣接）まで延びている。製品入口プラグは噴射剤入口プラグと分注ノズルの間に介在する。
【０１２３】
計量弁は円筒状であってもよい。例えば、計量弁本体及び計量弁ステムは、それぞれ、実質的に円筒状をしていて計量弁ステムの直径が計量弁本体のそれよりも小さくなっていてもよい。したがって計量弁ステムは計量弁本体の中に嵌る。
【０１２４】
噴射剤計量室と製品計量室は、計量弁本体の介在壁、例えば噴射剤計量室と製品計量室の間に介在する壁、によって分離されていてもよい。介在壁は計量弁ステムを受け入れるためのステム孔を備えていてもよい。ステム孔は計量ステムの周りにシールを形成する寸法とすることができる。例えば、計量弁ステムの外面が介入壁の内面に封止式に係合する、例えばステム孔に封止式に係合するようになっていてもよい。ステム孔は計量弁ステムの周りを封止するのを支援するためのガスケットを備えていてもよい。
【０１２５】
分注ノズルは、計量弁ステムが分注位置にあるときに、製品計量室を大気と流体接続するようになっていてもよい。
【０１２６】
分注ノズルは、側面ポート及び軸方向端面ポートを有する中空管を備えていてもよい。分注位置では、製品計量室と分注ノズルの軸方向端面ポートの間に流体連通が存在するように側面ポートは製品計量室の中に位置付けられるようになっていてもよい。充填位置では、製品計量室と分注ノズルの間に流体連通が存在しないように側面ポートと軸方向端面ポートの両方が製品計量室から隔離されるようになっていてもよい。例えば、側面ポートは充填位置では一例としてＯリングによって閉塞されるようになっていてもよい。
【０１２７】
計量弁ステムは、更に、計量弁ステムが分注位置にあるときに、噴射剤計量室を製品計量室へ流体接続する接続路を備えていてもよい。接続路は製品計量室内に出口を有している。
【０１２８】
接続路は充填位置では閉塞され、例えば製品計量室と噴射剤計量室の間の流体連通を阻止するようになっていてもよい。
【０１２９】
したがって、分注位置では噴射剤計量室は接続路、製品計量室、及び分注ノズルを介して大気と流体連通することができる。
【０１３０】
接続路は計量弁ステムの一部分の中で半径方向入口開口部（例えば噴射剤計量室との連通用）と半径方向出口開口部（例えば製品計量室との連通用）の間を軸方向に延びていてもよい。半径方向入口開口部と半径方向出口開口部の少なくとも一方は充填位置では閉塞される。
【０１３１】
充填位置では、半径方向入口開口部は例えば少なくとも１つのＯリングによって噴射剤計量室から隔離され、その結果、噴射剤計量室と製品計量室の間に流体連通は無い。
【０１３２】
噴射剤入口は、分注ノズルの出口から遠位の計量弁本体の第１軸方向端に配置されていてもよい。
【０１３３】
噴射剤入口は噴射剤計量室の第１軸方向端に提供されていてもよい。介在壁は、噴射剤計量室の第２（反対側の）軸方向端に設けられていてもよい。噴射剤入口と介在壁のステム孔は軸方向に相互整列されていてもよい。
【０１３４】
充填位置では、噴射剤は噴射剤入口を通って噴射剤計量室に進入することができる。分注位置では、噴射剤入口は計量弁ステムの噴射剤入口プラグによって封止される。
【０１３５】
製品計量室は製品入口を備えている。製品入口は、製品計量室の第１軸方向端に、計量弁本体の少なくとも１つの側路との流体連通のための製品開口部を備えていていてもよい。製品計量室は、更に、第２の反対側の軸方向端にステム孔／介在壁を備えていてもよい。製品開口部とステム孔は軸方向に相互整列されていてもよい。
【０１３６】
製品入口は製品開口部と少なくとも１つの側路を備えていてもよい。
【０１３７】
一部の実施形態では、製品計量室の第１軸方向端は、分注ノズル孔、例えば計量弁ステムの分注ノズルを受け入れるための孔を含んでいてもよい。分注ノズルの外面と分注ノズル孔の間にギャップが提供されていてもよい。ギャップは、少なくとも１つの側路との流体連通のための製品開口部を提供していてもよい。
【０１３８】
充填位置では、製品は製品入口を通って製品計量室に進入することができる。分注位置では、製品入口は製品入口プラグ例えばＯリングによって封止される。製品入口プラグは製品開口部と製品路の間の接面にて製品入口を封止することができる。他の言い方をするなら、製品路は分注位置では閉塞／封止されるようになっていてもよいということである。
【０１３９】
製品開口部と噴射剤入口とステム孔は全て軸方向に相互整列されているのが望ましい。
【０１４０】
第５の態様では、本発明は、第３の態様による計量弁を備え付けられた第１の態様によるキャニスターを備える製品分注器、を備えている。計量弁はキャニスターの開口部へ備え付けられていてもよい。計量弁本体は開口部に封止式に係合していてもよい。計量弁は、例えば計量弁の本体を開口部へ冷間溶接することによって、キャニスターへ取り付けられていてもよい。
【０１４１】
第５の態様の更なる随意的特徴をこれより説明する。
【０１４２】
計量弁は低圧室内に提供されていてもよい。
【０１４３】
計量弁は低圧室内に提供されていて、噴射剤計量室は気化した噴射剤（例えば気化した二酸化炭素）を含有するヘッドスペースと流体連通にあり、製品計量室は製品と流体連通にある。
【０１４４】
計量弁ステムの第２端部分はヘッドスペースを通って延びていて、製品入口は製品の中に配置されていてもよい。代わりに、計量弁ステムの第２軸方向端部分の軸方向端面へ備え付けられた管状延長部が、第２軸方向端部分の軸方向端の表面から低圧室の下端壁近くまで延びるのに十分な軸方向長さを有していてもよい。
【０１４５】
噴射剤入口開口部／端は低圧室内のヘッドスペースの中に位置決めされるだろう。
【０１４６】
第６の態様では、本発明は、第４の態様による計量弁を備え付けられた第２の態様によるキャニスターを備える製品分注器、を備えている。計量弁は隔壁の開口部及び製品貯留部の開口部へ備え付けられることができる。計量弁は開口部に封止式に係合していてもよい。計量弁は、例えば計量弁の本体をそれら開口部へ冷間溶接することによって、キャニスターへ取り付けられていてもよい。
【０１４７】
第６の態様の更なる随意的な特徴をこれより説明する。
【０１４８】
望ましくは、計量弁の噴射剤入口はキャニスターの噴射剤室と流体連通にあり、計量弁の製品入口は（少なくとも充填位置では）キャニスターの製品貯留部と流体連通にある。
【０１４９】
低圧室と製品貯留部は互いから流体的に隔離されていてもよい。製品貯留部は圧力調整弁から流体的に隔離されていてもよい。したがって、製品貯留部はベース圧力にて製品を充填されることができる。既定圧力はベース圧力より高いとされてもよい。
【０１５０】
これより添付図面を参照しながら発明の実施形態を一例として説明してゆく。
【図面の簡単な説明】
【０１５１】
【図１】圧力調整弁が閉位置にある状態のエアロゾルキャニスターの第１の実施形態を示している。
【図２】圧力調整弁が開位置にある状態の第１の実施形態を示している。
【図３】分注位置にある本発明の第３の態様による計量弁の第１の実施形態を示している。
【図４】充填位置にある図３の計量弁を示している。
【図５】分注位置にある本発明の第３の態様による計量弁の第２の実施形態を示している。
【図６】充填位置にある図５の計量弁を示している。
【図７】圧力調整弁が閉位置にある状態の第２の態様によるキャニスターの或る実施形態を示している。
【図８】圧力調整弁が開位置にある状態の図７のキャニスターを示している。
【図９】充填位置にある第４の態様による計量弁の或る実施形態を示している。
【図１０】分注位置にある図９の計量弁を示している。
【発明を実施するための形態】
【０１５２】
図１及び図２は、アルミニウムハウジング２の中に収容されているエアロゾルキャニスター１を示している。
【０１５３】
キャニスター１は、１６ｇ（１２ｇ−１００ｇ）の液化二酸化炭素を収容している高圧二酸化炭素キャニスターである高圧室３を備えている。その様な高圧二酸化炭素キャニスターはＬｅｌａｎｄ  Ｇａｓｅｓ社（米国）から手に入れることができる。高圧室３の中の圧力は約６０００ｋＰａ−７０００ｋＰａである。
【０１５４】
キャニスター１は、更に、低圧室４を備えており、低圧室４は、
ａ）ピレトリン又はピレスロイド（タイプＩ又はタイプＩＩ）殺虫剤及び共力剤（エタノール中に溶解／懸濁又は乳化させたピペロニルブトキシド又はＮ−オクチルビ−シクロヘプテンディカルボキシミド）、
ｂ）エタノール中に溶解／懸濁又は乳化させた個人用防臭剤調合物、又は、
ｃ）エタノール中に溶解／懸濁又は乳化させた消臭剤調合物、
を収容している。
【０１５５】
低圧室４の中のヘッドスペース５はガス状二酸化炭素を収容している。低圧室５の中の目標既定圧力は大気圧より上であり約３００ｋＰａである。
【０１５６】
低圧室４はそれの上端に計量弁７を受け入れるための開口部６を有している。計量弁は図３及び図４により詳しく示されている。キャニスター１はハウジング２の中にハウジング２の蓋部分８によって封止されている。
【０１５７】
低圧室４は、計量弁７の圧着前に製品を充填されることもできるし、計量弁７を通して充填されることもできる。どちらの選択肢も現在の実践である。高圧室への接続前の低圧弁の中に製品を封止するために多孔質フリット４６が提供されている。
【０１５８】
キャニスター１は、更に、高圧室３と低圧室４の間に介在する圧力調整弁９を備えている。
【０１５９】
低圧室４は、圧力調整弁９と高圧室３の接続後にヘッドスペース５を充填するために二酸化炭素でプライムされる。
【０１６０】
圧力調整弁９は、低圧室４内の圧力が既定圧力より下に降下したときに高圧室３から低圧室４への流れ経路を提供するように適合されている。
【０１６１】
圧力調整弁９によって高圧室４と低圧室３へ分けられているキャニスター１を提供することによって、現在使用されているＶＯＣに比べ環境への影響が小さい二酸化炭素の様な噴射剤を使用することが可能になる。
【０１６２】
２つの室３、４及び圧力調整弁９は、以下に論じられている様に、製品（例えば、殺虫剤、消臭剤、又は防臭剤）の一定した流れが維持されるように、低圧室４内の圧力がキャニスター１の耐用年数を通じて一定に保たれることを確約する。
【０１６３】
圧力調整弁９は高圧室３の上端と低圧室４の下端の間に介在する。これは既知のエアロゾルキャニスターの外形と同様の細長い外形を有するキャニスター１をもたらす。
【０１６４】
圧力調整弁９は機械式弁であり、即ち、それは何らかの電気信号に応えてというのではなく低圧室内の圧力降下の結果として弁構成要素に及ぶ力の変化に応えて動作するのである。
【０１６５】
圧力調整弁９はスキューバダイビング機材で使用されている様なディマンド弁に類似している。
【０１６６】
低圧室内の圧力が既定圧力値より下に落ちると、圧力調整弁９は、高圧室３から低圧室５への流れ経路が存在する開位置（図２に示す）へ向けて押し進められる。圧力調整弁９は、低圧室４内の圧力が既定圧力に（又はそれより上に）なると閉位置（図１に示す）へと押し進められる。以下に論じられている様に、圧力調整弁の寸法は既定圧力での弁の運動を実現するべく入念に選択されている。
【０１６７】
一部の随意的な実施形態では、圧力調整弁へ付勢を加えるためにばね１０が提供されていてもよい。図１及び図２にはばね１０が描かれている。但し、以下で明らかになる様にばねは必須ではない。コイルばね１０のばね定数は、圧力調整弁９が閉位置へ動く低圧室内の既定圧力を制御するように選択されればよい。
【０１６８】
低圧室４内の圧力が（キャニスター１から殺虫剤の用量を放出させた結果として）既定圧力より下に降下するや、圧力調整弁９は高圧室内の二酸化炭素の圧力によって（及び随意的には上述のばねによって）開くように強いられ、その結果、高圧室５からの液化二酸化炭素は低圧室４の中のヘッド空間５へ流入しその中で気化し、やがて低圧室４内の圧力がもう一度既定圧力に一致すると、圧力調整弁９は再び閉じるように強いられる。
【０１６９】
圧力調整弁９は、高圧端壁１２と低圧端壁１３によって画定される弁本体の中を可動である管状弁ステム１１を備えている。各端壁１２、１３はそれぞれの高／低圧室３、４との連通のための少なくとも１つの開口部１４、１５を有している。低圧端壁１３の開口部１５は、ガス（二酸化炭素）には透過性であるが製品溶液／懸濁液／乳濁液には透過性でない多孔質フリット４６によって封止されている。
【０１７０】
管状弁ステム１１は高圧端と低圧端を有している。
【０１７１】
図１に示されている閉位置では、高圧端は、低圧室４内の圧力によって、高圧端壁１２によって画定される弁座に押し付けて封止されるので、高圧室３から管状弁ステム１１を通る流れは阻止される。
【０１７２】
図２に示されている開位置では、キャニスターの作動から生じる低圧室４内の圧力降下が、高圧端を（高圧室内の圧力に因り）弁座／高圧端壁１２から離れて動けるようにし、その結果、液化二酸化炭素は高圧室３から管状弁ステム１１を通り低圧室４の中へ弁本体の低圧端壁１３の開口部１５を通って流入することができる。
【０１７３】
これは、低圧室４の中の圧力を増加させ、やがて既定圧力に達したら圧力調整弁は閉位置へ押し戻される。
【０１７４】
管状弁ステム１１の低圧端には、環状ステムフランジ１６がその外周縁周りのシール又はガスケット４５と共に設けられている。ステムフランジ１６は、低圧室４内の圧力が圧力調整弁９を図１に示されている閉位置（管状弁ステム１１の高圧端が弁本体の高圧端壁１２によって画定される弁座に押し当てて保持される状態）へ押し進めるために働きかけることのできる表面を提供している。
【０１７５】
ステムフランジ１６は、ステム１１の低圧端にステム１１の高圧端より広い表面積を与える。これは圧力調整弁の動作にとって不可欠である。ステムの低圧端の表面積（即ちステムフランジの面積）を入念に選択することによって、低圧室内の二酸化炭素噴射剤によって低圧端へ加えられる力Ｆ＝ＰＡ（ここに、Ｆ＝力、Ｐ＝圧力、及びＡ＝面積）が、低圧室内で既定圧力に達した（即ち低圧室が高圧室からの噴射剤で充満することによる）ときのみ弁を閉じさせることになるのである。
【０１７６】
例えば、高圧室が６０００ｋＰａの圧力を有していて、低圧室内の既定／目標圧力が３００ｋＰａであるなら、ステムの低圧端のステムフランジ１６の面積は、ステム１１の高圧端の表面積より２０倍広くなくてはならない。そうすると、低圧室内の圧力が３００ｋＰａより上に上昇し次第、低圧室内の二酸化炭素は、高圧室内の二酸化炭素によってステム１１の高圧端へ及ぶ力より大きい力をステムフランジ１６へ及ぼすことになる。圧力調整弁はそれによって閉じ位置へ押し進められる。
【０１７７】
ひとたび低圧室内の圧力が、例えばキャニスターから殺虫剤製品を分注することによって、３００ｋＰａより下に再び降下したら、環状ステムフランジ１６は図２に示されている様に低圧端壁１３へ向けて押し進められそれに当接する。圧力調整弁はこうして開位置へ押し戻される。
【０１７８】
高圧室及び低圧室内の二酸化炭素によって及ぼされる力を補完するためにコイルばね１０が提供される場合、それは高圧端壁１２近くの弁本体の側壁から垂れ下がってステムフランジ１６と環状弁本体フランジ１７の間に付着される。コイルばね１０は図１に示されている閉位置では２つのフランジ１６と１７の間で圧縮される。コイルばね１０は管状弁ステム１１を取り巻いている。
【０１７９】
弁本体の側壁は、弁の作動中の中空弁ステムフランジ１６と弁本体フランジ１７の間に画定される体積の変化に適応するために、弁本体フランジ１７と低圧端壁１３の間に（大気への）脱気孔１８、１８’を備えている。
【０１８０】
脱気孔１８、１８’は、それらが常に弁ステムフランジ１６の高圧側になるように位置決めされる。管状弁ステム１１が開位置へ動いてゆくと、空気は脱気孔１８、１８’を通して引かれることになる。管状弁ステム１１が閉位置へ動くにつれ、空気は脱気孔１８、１８’を通して押し出されてゆく。これらの脱気孔は、開位置と閉位置の間の運動が極微である多くの実施形態では必要ないかもしれない。
【０１８１】
以上に論じられている様に、高圧室３、低圧室４、及び圧力調整弁９の配列は、低圧室４内の圧力が既定圧力より下に降下したときに、高圧室３からの液体二酸化炭素の流れ及び気化によって、一定した圧力が低圧室４の中に維持されることを確約する。低圧室内のこの一定した圧力は、殺虫剤／消臭剤／防臭剤の一定した用量が毎回送達されることを確約する。
【０１８２】
図３及び図４は、本発明の第３の態様による計量弁７の第１の実施形態の断面を示している。
【０１８３】
計量弁７は、第１の態様によるキャニスター１の低圧室４の開口部６に提供されている。低圧室４は、製品１９のエタノール懸濁液／溶液／乳濁液とヘッドスペース５内のガス状二酸化炭素を収容している。
【０１８４】
計量弁７は、中間壁２６によって噴射剤計量室２１と製品計量室２２へ分けられている計量弁本体２０を備えている。製品計量室２２は中間壁２６と弁本体の第１軸方向端壁２９によって画定されている。噴射剤計量室２１は中間壁２６と弁本体の第２軸方向端壁２７によって画定されている。
【０１８５】
計量弁７は、更に、計量弁本体２０の中に収納されていてその第１軸方向端に分注ノズル２４を有している円筒状計量弁ステム２３を備えている。分注ノズル２４は製品計量室２２から延びている。計量弁ステム２３は、噴射剤計量室２１から延びる反対側の第２軸方向端部分２５を有している。
【０１８６】
弁本体２０の第１軸方向端壁２９は、計量弁ステム２３の分注ノズル２４を受け入れるための第１計量弁ステム孔２８を備えていて、分注ノズル２４は弁本体２０から弁本体２０の第１軸方向端壁２９を貫いて延びている。
【０１８７】
中間壁２６は計量弁ステムを受け入れるための中間計量弁ステム孔２８’を備えている。
【０１８８】
弁本体２０の第２軸方向端壁２７は、計量弁ステム２３の第２軸方向端部分２５を受け入れるための第２計量弁ステム孔２８’’を備えていて、計量弁ステム２３の第２軸方向端部分２５は弁本体２０から弁本体２０の第２軸方向端壁２７を貫いて延びている。
【０１８９】
計量弁ステム孔２８、２８’、２８’’は、噴射剤／製品の計量弁ステム孔２８、２８’、２８’’を通る漏出を防止するために計量弁ステム２３の周りにシールを形成する寸法である。計量弁ステム孔２８、２８’、２８’’は、それぞれ、計量弁ステム２３周りの封止を支援するための各個のガスケット又はＯリング（図示せず）を備えていてもよい。
【０１９０】
噴射剤計量室２１は管状及び円筒状である。噴射剤計量室２１は、製品の一回用量を送達するのに適した噴射剤の既定分量を保持するサイズである。噴射剤計量室２１は１０００マイクロリットルから１００００マイクロリットルの間の体積、例えば２５００マイクロリットルの体積を有していてもよい。
【０１９１】
製品計量室２２は管状及び円筒状である。それは殺虫剤の既定分量を保持するサイズである。製品計量室２２は２５マイクロリットルから１００マイクロリットルの間の体積を有していてもよい。
【０１９２】
製品計量室２２対噴射剤計量室２１の相対体積比は約１：１００である。
【０１９３】
計量弁ステム２３は、噴射剤計量室２１及び製品計量室２２の中を、製品計量室２２から延びるそれの第１軸方向端の分注ノズル２４から、噴射剤計量室２１から延びる第２軸方向端部分２５即ち計量弁本体２０の外にある計量弁ステム２３の第２軸方向端部分２５まで、延びている。
【０１９４】
計量弁ステム２３は、製品路３０を備えていて、製品路３０は計量弁ステム２３の中で製品路３０の第１軸方向端の製品出口３１と計量弁ステム２３の第２軸方向端部分２５内の製品路３０の第２軸方向端の製品入口３２の間を軸方向に延びている。
【０１９５】
製品出口３１は計量弁ステム２３の側壁の半径方向開口部である。
【０１９６】
製品入口３２は、計量弁ステム２３の第２軸方向端部分２５内に（計量弁本体２０の外に）設けられている。製品入口３２は、計量弁ステム２３の第２軸方向端部分２５の軸方向端面３３に設けられている。軸方向製品入口３２は計量弁ステム２５の第２軸方向端部分２５の軸方向端面３３の中心からオフセットされている。
【０１９７】
製品路３０は計量弁ステム２３（噴射剤計量室２１の中）を貫いて軸方向製品入口３２から半径方向製品出口３１まで軸方向に延びている。製品路３０の軸方向延長は噴射剤計量室２１の軸方向延長より大きい。
【０１９８】
計量弁ステム２３は、更に、第２軸方向端部分２５の軸方向端面３３での接続によって第２軸方向端部分２５へ備え付けられた管状延長部３４（例えば可撓性管状延長部）を備えていてもよい。これは図１及び図２に示されている。管状延長部３４は製品路３０と流体連通にある。
【０１９９】
計量弁は導管を備える噴射剤路３５を有しており、噴射剤路３５は、計量弁ステム２３の中で噴射剤路（導管）３５の第１軸方向端の噴射剤出口開口部３６と計量弁ステム２３の第２軸方向端部分２５内の噴射剤路（導管）３５の第２軸方向端の噴射剤入口開口部３７の間を軸方向に延びている。
【０２００】
噴射剤出口開口部３６は計量弁ステムの側壁の半径方向開口部である。
【０２０１】
噴射剤入口開口部３７は、（計量弁本体２０の外に）計量ステム弁２３の第２軸方向端部分２５に設けられている。噴射剤出口開口部３６は計量弁ステム２３の第２軸方向端部分２５の側壁に設けられている半径方向開口部である。噴射剤入口開口部３７は、噴射剤出口開口部３６よりも、計量弁ステム２３の第２軸方向端部分２５の軸方向端面３３に近接している（つまり、噴射剤入口開口部３７と第２軸方向端部分２５の軸方向端面３３の間の間隔は噴射剤出口開口部３６と軸方向端面３３の間の間隔より小さいのである）。噴射剤入口開口部３７は、製品入口３２よりも、計量弁ステム２３の第２軸方向端部分２５の軸方向端面３３から遠くに設けられるだろう（即ち、噴射剤入口開口部３７と第２軸方向端部分２５の軸方向端面３３の間の間隔は、製品入口３２と軸方向端面３３の間の間隔より大きい――この特定の実施形態では、製品入口は実際に軸方向端面３３に設けられている）。
【０２０２】
噴射剤路（導管）３５は、計量弁ステム２３を貫いて半径方向噴射剤入口開口部３７から半径方向噴射剤出口開口部３６まで軸方向に延びている。噴射剤路（導管）３５の軸方向延長は、噴射剤計量室２１の軸方向延長より小さく、噴射剤路３０の軸方向延長より小さい。
【０２０３】
噴射剤路（導管）３５は、計量弁ステム２３の中を製品路３０の一部分に平行し隣接して軸方向に延びている。
【０２０４】
計量弁ステム２３は、更に、半径方向入口開口部３９及び半径方向出口開口部４０（どちらも計量弁ステム２３の側壁に設けられている）を有する軸方向に延びる導管を備える接続路３８を含んでいる。
【０２０５】
接続路（導管）３８の一部分は製品路３０に平行し隣接して延びている。製品出口３１は接続路（導管）３８の中央軸方向端部分と半径方向に整列され、つまり、製品出口３１は半径方向に接続路（導管）３８の入口開口部３９と出口開口部４０の間に介在するのである。
【０２０６】
分注ノズル２４は、側面ポート４１と軸方向端面ポート４２を有する中空管である。
【０２０７】
計量弁ステム２３は、更に、噴射剤計量室２１の中を延びる環状噴射剤計量室フランジ４３を備えている。噴射剤計量室２１の中には噴射剤計量室フランジ４３と弁本体２０の第２軸方向端壁２７の間にコイルばね４４が保持されている。それは噴射剤計量室２１内で計量弁ステム２３を取り巻いている。
【０２０８】
計量弁ステム２３は、更に、製品計量室２２の中を延びている環状製品計量室フランジ４９を備えている。
【０２０９】
計量弁ステム２３は計量弁本体２０の中を分注位置（図３に示す）へ可動であり、分注位置では製品路３０と製品計量室２２の間に流体連通は無い。製品路３０と製品計量室２２の間の流体連通は、製品出口３１の閉塞によって実現される製品路３０の閉塞によって阻止される。半径方向製品出口３１は、弁本体の中間壁２６と整列され（及び中間壁２６によって閉塞され）、即ち製品出口３１は中間計量弁ステム孔２８’の中に位置決めされる。
【０２１０】
図３に示されている分注位置では、噴射剤路（導管３５）と噴射剤計量室２１の間の流体連通は阻止される。噴射剤路（導管）３５と噴射剤計量室２１の間の流体連通は、噴射剤出口開口部３６の噴射剤計量室２１からの隔離によって実現されるところの噴射剤路（導管）３５の噴射剤計量室２１からの隔離によって阻止される。分注位置では、噴射剤出口開口部３６は噴射剤計量室２１（及び計量弁本体２０）の外に位置決めされる。
【０２１１】
図３に示されている分注位置では、製品及び噴射剤の計量された用量が計量弁本体２０から分注されることができるように噴射剤計量室２１及び製品計量室２２は計量弁ステム２３の分注ノズル２４を介して大気と流体連通にある。分注位置では、製品計量室２２と分注ノズル２４の軸方向端面ポート４２（大気へ脱気する）の間に流体連通が無いように分注ノズル２４の側面ポート４１は製品計量室２２の中に位置付けられる。
【０２１２】
接続路（導管）３８は、計量弁ステム２３が分注位置にあるときは噴射剤計量室２１を製品計量室２２に流体接続する。接続路（導管）３８の半径方向入口開口部３９は噴射剤計量室２１の中に位置決めされ、接続路（導管）３８の半径方向出口開口部４０は製品計量室２２の中に位置決めされる。このやり方では、噴射剤計量室２１は製品計量室２２を介して分注ノズル２４と流体連通にあり、噴射剤と製品は同時に分注されることができる。
【０２１３】
要約すると、図３に示されている分注位置では、
製品路３０／製品出口３１は弁本体２０の中間壁２６によって閉塞され、故に製品路３０と製品計量室２２の間の流体連通は阻止され、
噴射剤路（導管）３５／噴射剤出口開口部３６は噴射剤計量室２１から隔離され、故に噴射剤路（導管）３５と噴射剤計量室２１の間の流体連通は阻止され、
弁本体の第１軸方向端壁２９の第１計量弁ステム孔２８は分注ノズル２４によって封鎖／封止されるが、製品計量室フランジ４９は弁本体２０の第１軸方向端壁２９から退座し、
噴射剤計量室フランジ４３は（噴射剤計量室側で）弁本体２０の中間壁２６から退座し、
接続路（導管）３８の入口開口部３９は噴射剤計量室２１の中に位置決めされ、その結果、噴射剤計量室２１から接続路（導管）３８を通って製品計量室２２へ入る噴射剤の流れが存在し、及び、
分注ノズル２４の側面ポート４１は製品計量室２２の中に（弁本体の中に）あり、その結果、分注ノズル２４を通り軸方向端面ポート４２を介して大気へ向かう製品／噴射剤の流れが存在する、
ということである。
【０２１４】
計量弁ステム２３は計量弁本体２０の中で分注位置と充填位置（図４に示す）の間で可動であり、充填位置では、製品が計量弁ステム２３を通って製品路３０経由で製品計量室２２に進入することができるように製品路３０と製品計量室２２の間に流体連通がもたらされる。製品路３０は閉塞されず、製品出口３１は製品計量室２２の中に位置付けられる。
【０２１５】
充填位置では、噴射剤が計量弁ステム２３を通って噴射剤路（導管）３５経由で噴射剤計量室２１に進入することができるように噴射剤路（導管）３５と噴射剤計量室（２１）の間にも流体連通がもたらされる。噴射剤出口開口部３６は噴射剤計量室２１の中に位置決めされるのに対し、噴射剤入口開口部３７は噴射剤計量室２１／計量弁本体２０の外に留まる。
【０２１６】
充填位置では、噴射剤計量室２１と製品計量室２２は、分注位置で両室２１、２２から分注ノズルを介して大気へ分注するための準備として、計量弁ステム２３を通してそれぞれ噴射剤及び製品で充満する。
【０２１７】
図４に示されている充填位置では、噴射剤計量室２１と製品計量室２２の間に流体連通は無い。接続路（導管）３８の半径方向入口開口部３９は弁本体２０の中間壁２６と整列され（及び中間壁２６によって閉塞され）、つまり、接続路（導管）３８の入口開口部３９は中間計量弁ステム孔２８’の中に位置付けられるのである。
【０２１８】
図４に示されている充填位置では、計量弁本体２０と大気の間に連通は無い。分注ノズル２４の側面ポート４１と軸方向端面ポート４２のどちらもが製品計量室２２／計量弁本体２０の外に位置付けられる。
【０２１９】
噴射剤計量室フランジ４３は、充填位置では噴射剤計量室２１側で中間壁２６への当接によって計量弁ステム２３の軸方向運動を制限する働きをする。それは更に、弁本体２０の中間壁２６の中間計量弁ステム孔２８’を封止する手助けをし、ひいては噴射剤計量室２１と製品計量室２２の間の流体連通を阻止する手助けをする。
【０２２０】
製品計量室フランジ４９は、充填位置では弁本体２０の第１軸方向端壁２９への当接によって計量弁ステム２３の軸方向運動を制限する働きをする。それは更に、弁本体２０の第１軸方向端壁２９の第１計量弁ステム孔２８を封止する手助けをし、ひいては製品計量室２２と分注ノズル２４／大気の間の流体連通を阻止する手助けをする。
【０２２１】
要約すると、図４に示されている充填位置では、
製品路３０／製品出口３１は閉塞されず、その結果、製品は製品路３０を通って製品計量室２２を充填するように流れ、
噴射剤路（導管）３５／噴射剤出口開口部３６は噴射剤計量室２１と（噴射剤計量室２１の中の噴射剤出口開口部３６と）流体連通にあり、その結果、噴射剤は噴射剤路（導管）３５を通って噴射剤計量室２１を充填するように流れ、
弁本体２０の第１軸方向端壁２９の第１計量弁ステム孔２８は、分注ノズル２４によって、及び製品計量室フランジ４９が弁本体２０の第１軸方向端壁２９に当接することによって、封鎖／封止され、
弁本体２０の中間壁２６の中間計量弁ステム孔２８’は、計量弁ステム２３によって、及び（噴射剤計量室側で）噴射剤計量室フランジ４３が中間壁２６に当接することによって、封鎖／封止され、
接続路（導管）３８の入口開口部３９は、弁本体の中間壁２６によって閉塞され、その結果、噴射剤計量室２１から接続路（導管）３８を通る流れは無く、及び、
分注ノズル２４の側面ポート４１は製品計量室２２の外（計量弁本体２０の外）にあり、その結果、分注ノズル２４を通る製品／噴射剤の流れは無い、
ということである。
【０２２２】
図５及び図６は、本発明の第３の態様による計量弁７の第２の実施形態の断面を示している。
【０２２３】
計量弁の第２の実施形態の多くの特徴は、図３及び図４に示されている第１の実施形態について説明されている通りであり、したがって共通の符号が使用されている。両実施形態に共通の特徴は以下で繰り返し説明されることはない。
【０２２４】
計量弁７は、中間壁２６によって噴射剤計量室２１と製品計量室２２へ分けられている計量弁本体２０を備えている。中間壁２６は、側面ポート４１の近傍に、計量弁ステム２３の分注ノズル２４を包囲して軸方向に延びる管状閉塞壁４７を備えている。管状閉塞壁４７は第１半径方向開口４８と直径方向に反対側の第２半径方向開口４８’を備えている。
【０２２５】
計量弁は、陥凹を備える噴射剤路３５’を有していて、噴射剤路３５’は、計量弁ステム２３の表面に沿って、噴射剤路（陥凹）３５’の第１軸方向端の噴射剤出口端３６’と、計量弁ステム２３の第２軸方向端部分２５の、噴射剤路（陥凹）３５’の第２軸方向端の噴射剤入口端３７との間を軸方向に延びている。
【０２２６】
噴射剤入口端３７’は、（計量弁本体２０の外に）計量ステム弁２３の第２軸方向端部分２５に設けられている。噴射剤入口端３７’は、噴射剤出口端３６’よりも、計量弁ステム２３の第２軸方向端部分２５の軸方向端面３３に近接している（つまり、噴射剤入口端３７’と第２軸方向端部分２５の軸方向端面３３の間の間隔は噴射剤出口端３６’と軸方向端面３３の間の間隔より小さいのである）。噴射剤入口端３７’は、製品入口３２よりも、計量弁ステム２３の第２軸方向端部分２５の軸方向端面３３から遠くに提供されることになるだろう（即ち、噴射剤入口端３７と第２軸方向端部分２５の軸方向端面３３の間の間隔は、製品入口３２と軸方向端面３３の間の間隔より大きい――この特定の実施形態では、製品入口は実際に軸方向端面３３に設けられている）。
【０２２７】
噴射路（陥凹）３５’は、計量弁ステム２３の表面に沿って、半径方向噴射剤入口端３７’から半径方向噴射剤出口端３６’へ軸方向に延びている。噴射剤路（陥凹）３５’の軸方向延長は、噴射剤計量室２１の軸方向延長より小さく、噴射剤路３０の軸方向延長より小さい。
【０２２８】
噴射剤路（陥凹）３５’は、計量弁ステム２３に沿って、製品路３０の一部分に平行し隣接して軸方向に延びている。
【０２２９】
計量弁ステム２３は、更に、計量弁ステム２３に沿って、入口端３９’と出口端４０’の間を軸方向に延びる陥凹を備えている軸方向に延びる接続路（陥凹）３８’を含んでいる。
【０２３０】
製品出口３１は、半径方向に接続路（陥凹）３８’と整列され、接続路（陥凹）３８’の入口端３９’に対し直径方向反対側にある。
【０２３１】
計量弁ステム２３は計量弁本体２０の中で、製品路３０と製品計量室２２の間に流体連通の無い分注位置（図５に示す）へ可動である。製品路３０と製品計量室２２の間の流体連通は、製品出口３１を噴射剤計量室２１の中に位置決めすることによって実現されるところの製品路３０の製品計量室２２からの隔離によって阻止される。
【０２３２】
図５に示されている分注位置では、噴射剤路（陥凹）３５’と噴射剤計量室２１の間の流体連通は阻止される。噴射剤路（陥凹）３５’と噴射剤計量室２１の間の流体連通は、噴射剤出口端３６’の噴射剤計量室２１からの隔離によって実現されるところの噴射剤路（陥凹）３５’の噴射剤計量室２１からの隔離によって阻止される。分注位置では、噴射剤出口端３６’は噴射剤計量室２１（及び計量弁本体２０）の外に位置決めされる。
【０２３３】
図５に示されている分注位置では、製品及び噴射剤の計量された用量が計量弁本体２０から分注されることができるように、噴射剤計量室２１及び製品計量室２２は計量弁ステム２３の分注ノズル２４を介して大気と流体連通にある。分注位置では、製品計量室２２と分注ノズル２４の軸方向端面ポート４２（大気へ脱気する）の間に流体連通が存在するように、分注ノズル２４の側面ポート４１は管状閉塞壁４７を貫く第１半径方向開口４８と整列される。
【０２３４】
計量弁ステム２３が分注位置にあるとき、接続路（陥凹）３８’は噴射剤計量室２１を製品計量室２２へ流体接続する。接続路（陥凹）３８’の入口端３９’は噴射剤計量室２１の中に位置決めされ、接続路（陥凹）３８’の出口端４０’は管状閉塞壁４７を貫く第２半径方向開口４８’と整列され製品計量室２２の中に位置決めされる。このやり方では、噴射剤計量室２１は製品計量室２２を介して分注ノズル２４と流体連通にあり、噴射剤と製品は同時に分注されることができる。
【０２３５】
要約すると、図５に示されている分注位置では、
製品路３０／製品出口３１は製品計量室２２から隔離され、噴射剤計量室２１の中に位置決めされるので、製品路３０と製品計量室２２の間の流体連通は阻止され、
噴射剤路（陥凹）３５’／噴射剤出口端３６’は噴射剤計量室２１から隔離されるので、噴射剤路（陥凹）３５’と噴射剤計量室２１の間の流体連通は阻止され、
弁本体の第１軸方向端壁２９の第１計量弁ステム孔２８は分注ノズル２４によって封鎖／封止されるが、製品計量室フランジ４９は弁本体２０の第１軸方向壁２９から退座し閉塞壁４７に当接し、
噴射剤計量室フランジ４３は（噴射剤計量室側で）弁本体２０の中間壁２６から退座し、
接続路（陥凹）３８’の入口端３９’は噴射剤計量室２１の中に位置決めされ、出口端４０’は閉塞壁４７を貫く第２半径方向開口４８’と整列され、その結果、噴射剤計量室２１から接続路（陥凹）３８’を通って製品計量室２２へ入る噴射剤の流れが存在し、及び、
分注ノズル２４の側面ポート４１は閉塞壁４７を貫く第１半径方向開口４８と整列され、その結果、分注ノズル２４を通り軸方向端面ポート４２を介して大気へ向かう製品／噴射剤の流れが存在する、
ということである。
【０２３６】
計量弁ステム２３は計量弁本体２０の中で分注位置と充填位置（図６に示す）の間を可動であり、充填位置では、製品が計量弁ステム２３を通って製品路３０経由で製品計量室２２に進入することができるように製品路３０と製品計量室２２の間に流体連通が提供される。製品出口３１は製品計量室２２の中に位置決めされる。
【０２３７】
充填位置では、噴射剤が噴射剤路（陥凹）３５’経由で噴射剤計量室２１に進入することができるように噴射剤路（陥凹）３５’と噴射剤計量室２１の間にも流体連通が提供される。噴射剤出口端３６’は噴射剤計量室２１の中に位置決めされるのに対し、噴射剤入口端３７’は噴射剤計量路２１／計量弁本体２０の外に留まる。
【０２３８】
充填位置では、噴射剤計量室２１及び製品計量室２２は、分注位置で両室２１、２２から分注ノズル２４を介して大気へ分注するための準備として、計量弁ステム２３を通してそれぞれ噴射剤及び製品で充満する。
【０２３９】
図６に示されている充填位置では、噴射剤計量室２１と製品計量室２２の間に流体連通は無い。接続路（陥凹）３８’の入口端３９’は、製品計量室２２の中（閉塞壁４７の中）に位置決めされることによって噴射剤計量室２１から隔離される。
【０２４０】
要約すると、図６の充填位置では、
製品路３０／製品出口３１は、製品出口が製品計量室２２の中で閉塞壁４７を貫く第１半径方向開口４８と整列された状態で閉塞されず、その結果、製品は製品路３０を通って製品計量室２２を充填するように流れ、
噴射剤路（陥凹）３５’／噴射剤出口端３６’は噴射剤計量室２１と（噴射剤計量室２１の中の噴射剤出口端３６’と）流体連通にあり、その結果、噴射剤は噴射剤路（陥凹）３５’を通って噴射剤計量室２１を充填するように流れ、
弁本体２０の第１軸方向端壁２９の第１計量弁ステム孔２８は、分注ノズル２４によって、及び製品計量室フランジ４９が弁本体２０の第１軸方向端壁２９に当接することによって、封鎖／封止され、
弁本体２０の中間壁２６の中間計量弁ステム孔２８’は、計量弁ステム２３によって、及び（噴射剤計量室側で）噴射剤計量室フランジ４３が中間壁２６に当接することによって、封鎖／封止され、
接続路（陥凹）３８’の入口端３９’は、製品計量室２２の中に位置決めされることによって噴射剤計量室２１から隔離され、その結果、噴射剤計量室２１から接続路（陥凹）３８’を通る噴射剤の流れは無く、及び、
分注ノズル２４の側面ポート４１は、閉塞壁４７による閉塞の結果として製品計量室２１から隔離され、その結果、分注ノズル２４を通る製品／噴射剤の流れは無い、
ということである。
【０２４１】
図７及び図８は、本発明の第２の態様によるキャニスター１’の或る実施形態を示しており、圧力調整弁９はそれぞれ開位置と閉位置にある。図７及び図８のキャニスターの特徴が図１及び図２のキャニスターに示されているものと同じである場合、同じ符号が使用されている。他の言い方をするなら、圧力調整弁９は、図１及び図２の圧力調整弁９と同一であり、まさに同じやり方で動作するわけである。
【０２４２】
但し、圧力調整弁の低圧側５０の構成は異なっており以下に解説されている。
【０２４３】
図示の様に、キャニスター１’の低圧側５０は、２つの室――ガス状噴射剤を収容するための低圧室５２と、高圧室３に比べると同じく低圧である、製品を収容するための製品貯留部５４――へ分割されている。実際に、製品貯留部５４は、低圧室５２の既定圧力よりも低いベース圧力に維持される。典型的には、製品貯留部内の製品は大凡大気圧に維持されていてもよい。
【０２４４】
低圧室５２は、図１及び図２の低圧室５とまさに同じやり方で高圧室３と相互作用する。
【０２４５】
隔壁５６が低圧室５２を製品貯留部５４から分離している。使用時、キャニスターは分注弁７と一体に組み立てられる。図示の様に、分注弁７は隔壁５６の開口部５８及び上壁６２の開口部６０それぞれに受け入れられる。
【０２４６】
隔壁５６の開口部５８及び上壁６２の開口部６０は分注弁７の外面に対して封止される寸法である。こうして、分注弁は製品貯留部５４がキャニスター１’の噴射剤室５２内の噴射剤と混合するのを防ぐ。これは、噴射剤と製品が不混和性である場合及び／又は製品と噴射剤が組み合わされると比較的不安定である場合に特に好都合である。
【０２４７】
噴射剤と製品は、それらが各自の室５２、５４から分注弁７に進入した後にしか互いと接触することはできない。使用される分注弁は図９及び図１０に示されている計量弁であってもよい。
【０２４８】
図９及び図１０は本発明の第４の態様による計量弁の或る実施形態を、充填位置と分注位置でそれぞれ示している。
【０２４９】
計量弁ステム７４はコイルばね（図示せず）によって図９の充填位置へ付勢される。計量弁ステム７４は、ばねの力に打ち勝つのに十分な力の印加によって、例えば使用者が分注ノズル９４をキャニスターの中へ押し下げることによって、分注位置へ可動である。
【０２５０】
計量弁７０は、基本的に、円筒状弁ステム７４が納められている円筒状計量弁本体７２を備えている。
【０２５１】
計量弁本体７２は、噴射剤が噴射剤計量室８６へ流入できるようにするための計量弁本体７２の軸方向端に配置されている噴射剤入口７６と、製品が製品計量室８４へ流入できるようにするための製品入口７８を含んでおり、製品入口は側路８０を含んでいる。分離壁８２が製品計量室８４を噴射剤計量室８６から分離している。計量弁ステム７４はガスケット（図示せず）の提供によって分離壁８２の内面に対して封止されており、その結果、分離壁８２と計量弁ステム７４の間に実質的に流体が通過できる隙間は無い。
【０２５２】
製品入口７８は、図７及び図８の製品貯留部５４と流体連通にある。噴射剤入口７６は、図７及び図８の噴射剤室５２と流体連通にある。また、隔壁５６の開口部５８は計量弁本体７２に対して封止され、上壁６２の開口部６０は計量弁本体７２に対して封止される。
【０２５３】
実践では、キャニスター１’と計量弁７０が別々の部品として組み立て工場へ供給される。次いで、計量弁７０がキャニスターへ備え付けられるのと同時に製品貯留部５４が製品を充填される。計量弁７０は、有効なシールを確約するように開口部５８、６０へ冷間溶接される。
【０２５４】
キャニスターの第２のキャニスター隔壁８８が対応する開口部９０と共に図９に示されている。隔壁５６と隔壁８８はそれらの間に空の空間９２を画定している。第２の隔壁８８は以下で明らかになる理由で提供されている。
【０２５５】
計量弁ステム７４は、分注ノズル／ホース９４を側面ポート９８及び軸方向端面ポート９６と共に含み、接続路１００を半径方向入口開口部１０２及び半径方向出口開口部１０４と共に含んでいる。
【０２５６】
図９に示されている充填位置では、接続路１００の半径方向入口開口部１０２はＯリング１０６によって噴射剤計量室から封止／閉塞される。こうして、分注位置にある間は、噴射剤計量室８６と製品計量室８４の間を流体は流れることができない。また、分注ノズル９４の側面ポート９８はＯリング１０８によって製品貯留部５４及び製品計量室８４から封止／閉塞される。こうして、充填位置では製品も噴射剤も計量弁７０を出てゆくことができず、噴射剤は製品貯留部に進入することができない。
【０２５７】
この充填位置では、噴射剤は低圧室５２から開いた噴射剤入口７６を介して噴射剤計量室８６へ流入し、製品は製品貯留部５４から製品入口７８を介して製品計量室８４へ流入する。したがって、２つの計量室は、製品計量室と噴射剤計量室のそれぞれのサイズによって規定される分量まで製品及び噴射剤で充満する。
【０２５８】
噴射剤が噴射剤計量室８６へ流入してゆくにつれ、噴射剤室５２内の圧力は既定圧力より下に落ちてゆく。故にキャニスター１’の圧力調整弁が開いて、低圧室内に既定圧力が再確立されるまで噴射剤を高圧室３から低圧室５２へ流入させようとする（既定圧力が再確立された時点で圧力調整弁は再び閉じることになる）。
【０２５９】
実際に、充填位置では、製品及び噴射剤の計量分量が計量弁によって測定される。実践では計量室８４、８６を製品及び噴射剤で充填するプロセスはほんの一瞬しかかからない。
【０２６０】
図９に示されている様に、製品入口７８の側路８０は隔壁８８の真上に（即ち、分注ノズル９４の軸方向出口９６と同じ隔壁側で隔壁に隣接して）配置されており、製品計量室８４はというと側路８０の真下に配置されている。したがって、製品貯留部５４内の製品のレベルが低くなっていっても、計量弁ステム７４が充填位置にあるとき製品はなおも重力下に製品計量室８４へ流入してゆくはずである。故に、図９及び図１０の実施形態は、示されている直立構成で使用されるように構成されており、したがって製品貯留部内の製品は加圧下に維持される必要はない。
【０２６１】
製品計量室８４と噴射剤計量室８６が製品及び噴射剤でそれぞれ充填されたら、計量弁は次いで、計量弁本体７２の中での計量弁ステム７４の並進運動によって図１０に示されている分注構成へと動かされることができる。
【０２６２】
図１０は、分注構成にある計量弁を示している。
【０２６３】
分注構成では、例えば分注ノズル９４へ力を加えることによって、計量弁ステム７４は充填位置に対比して計量弁本体７２の中へ押圧される。
【０２６４】
分注位置では、噴射剤入口プラグ（Ｏリング）１１０が噴射剤入口７６を封止／閉塞するので、噴射剤は噴射剤室５２と噴射剤計量室８６の間を流れることはできない。同様に、製品入口プラグ（Ｏリング）１０８が製品入口７８を封止／閉塞するので、製品は製品貯留部５４と製品計量室８４の間を流れることはできない。
【０２６５】
同時に、接続路１００の半径方向入口１０２は噴射剤計量室８６へ開かれ、接続路１００の半径方向出口１０４は製品計量室８４へ開かれ、分注ノズル９４の側面ポート９８は製品貯留部８４へ開かれる。
【０２６６】
したがって、噴射剤(当初は既定圧力にある)は、接続路１００経由で製品貯留部８４の中へと進み、引き続き製品計量室８４を通って分注ノズル９４に入り、最終的に軸方向端面ポート９６から大気へ出てゆく。噴射剤は、製品計量室８４を通過してゆく際、製品を噴射剤と共に勢いよく流すので、製品は加圧下に分注ノズルから分注されるよう仕向けられる。
【０２６７】
好都合にも、製品と噴射剤は、それらが分注ノズルを出てゆく間際にしか、即ち出てゆく数ミリ秒前にしか、互いと出会わない。これは、噴射剤と製品が不混和性である場合及び／又は製品と噴射剤が組み合わされると比較的不安定である場合に特に好都合である。
【０２６８】
製品及び噴射剤が分注されてしまえば、計量弁ステム７４はコイルばね（今回は図示）の力の下に充填位置へ戻されてゆき、製品計量室８４と噴射剤計量室８６はもう一度充満することができる。
【０２６９】
上述の例としての実施形態に関連付けて発明を説明してきたが、この開示が与えられたからには当業者には多くの同等の修正型及び変形型が自明であろう。したがって、以上に提示されている発明の例としての実施形態は、例示であり制限を課すものではないと考えられる。説明されている実施形態に対する様々な変更が、発明の範囲から逸脱することなくなされ得る。
【０２７０】
例えば、図３及び図４に示されている計量弁の導管噴射剤路及び／又は導管接続路は図５及び図６に示されている陥凹路と置換されることもできる（その逆も然り）。図５及び図６に示されている計量弁の分注ノズル構造及び閉塞壁は図３／図４の弁で使用されることもできる（その逆も然り）。
【符号の説明】
【０２７１】
１、１’  エアロゾルキャニスター
２  アルミニウムハウジング
３  高圧室
４  低圧室
５  ヘッドスペース
６  開口部
７  計量弁
８  蓋部分
９  圧力調整弁
１０  ばね
１１  管状弁ステム
１２  高圧端壁
１３  低圧端壁
１４、１５  開口部
１６  環状ステムフランジ
１７  弁本体フランジ
１８、１８’  脱気口
１９  製品
２０  計量弁本体
２１  噴射剤計量室
２２  製品計量室
２３  計量弁ステム
２４  分注ノズル
２５  軸方向端部分
２６  中間壁
２７  第２軸方向端壁
２８  第１計量弁ステム孔
２８’  中間計量弁ステム孔
２８’’  第２計量弁ステム孔
２９  第１軸方向端壁
３０  製品路
３１  製品出口
３２  製品入口
３３  軸方向端面
３４  管状延長部
３５  噴射剤路（導管）
３５’  噴射剤路（陥凹）
３６  噴射剤出口開口部
３６’  噴射剤出口端
３７  噴射剤入口開口部
３７’  噴射剤入口端
３８  接続路（導管）
３８’  接続路（陥凹）
３９  半径方向入口開口部
３９’  入口端
４０  半径方向出口開口部
４０’  出口端
４１  側面ポート
４２  軸方向端面ポート
４３  噴射剤計量室フランジ
４４  コイルばね
４５  シール又はガスケット
４６  多孔質フリット
４７  閉塞壁
４８  第１半径方向開口
４８’  第２半径方向開口
４９  製品計量室フランジ
５０  低圧側
５２  低圧室
５４  製品貯留部
５６  隔壁
５８  開口部
６０  開口部
６２  上壁
７０  計量弁
７２  計量弁本体
７４  計量弁ステム
７６  噴射剤入口
７８  製品入口
８０  側路
８２  分離壁
８４  製品計量室
８６  噴射剤計量室
８８  第２の隔壁
９０  開口部
９２  空の空間
９４  分注ノズル
９６  軸方向端面ポート
９８  側面ポート
１００  接続路
１０２  半径方向入口開口部
１０４  半径方向出口開口部
１０６  Ｏリング
１０８  製品入口プラグ（Ｏリング）
１１０  噴射剤入口プラグ（Ｏリング）
【図１】
2019534828.tif 000003
【図２】
2019534828.tif 000004
【図３】
2019534828.tif 000005
【図４】
2019534828.tif 000006
【図５】
2019534828.tif 000007
【図６】
2019534828.tif 000008
【図７】
2019534828.tif 000009
【図８】
2019534828.tif 000010
【図９】
2019534828.tif 000011
【図１０】
2019534828.tif 000012
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
製品を分注するためのエアロゾルキャニスターであって、前記キャニスターは、
液化又は圧縮ガス噴射剤を収容するための高圧室と、
ガス噴射剤を収容するための低圧室と、
分注されることになる製品を収容するための製品貯留部と、
前記高圧室と前記低圧室の間に介在する圧力調整弁であって、前記低圧室内の圧力が既定圧力より下に降下したときに前記高圧室から前記低圧室への流体流れ経路を提供するように適合されている圧力調整弁と、を備え、
前記キャニスターは、前記低圧室と前記製品貯留部の間に介在する隔壁を更に備えている、
キャニスター。
【請求項２】
非医用製品を分注するためのエアロゾルキャニスターであって、前記キャニスターは、
液化又は圧縮ガス噴射剤を収容している高圧室と、
非医用製品と気化した噴射剤とを収容している低圧室であって、分注弁を受け入れるための開口部を有している低圧室と、
前記高圧室と前記低圧室の間に介在する圧力調整弁であって、前記低圧室内の圧力が既定圧力より下に降下したときに前記高圧室から前記低圧室への流れ経路を提供するように適合されている圧力調整弁と、
を備えている、キャニスター。
【請求項３】
請求項１又は請求項２に記載のキャニスターにおいて、前記圧力調整弁は、高圧端及び低圧端を有している管状弁ステムであって高圧端壁及び低圧端壁によって画定される弁本体の中を可動である管状弁ステム、を備え、閉位置では、前記低圧室内の圧力によって、前記高圧端は前記高圧端壁によって画定される弁座に押し付けて閉じられ、その結果、前記高圧室からの前記管状弁ステムを通る流れが阻止される、
キャニスター。
【請求項４】
請求項３に記載のキャニスターにおいて、前記管状弁ステムの前記低圧端にはステムフランジが設けられていて、前記低圧室内の圧力が前記弁を前記閉位置へ押し進めるために働きかけることのできる表面を前記ステムフランジが提供している、キャニスター。
【請求項５】
上記請求項の何れか一項に記載のキャニスターにおいて、前記液体噴射剤は二酸化炭素である、キャニスター。
【請求項６】
製品の計量された用量を分注するための計量弁であって、前記弁は、
噴射剤入口を有する噴射剤計量室及び製品入口を有する製品計量室を備える計量弁本体と、
分注ノズル、噴射剤入口プラグ、及び製品入口プラグを有する計量弁ステムと、を備え、
前記計量弁ステムは前記計量弁本体の中を分注位置へ可動であり、前記分注位置では、
前記噴射剤入口は前記噴射剤入口プラグによって封止され、前記製品入口は前記製品入口プラグによって封止され、
製品と噴射剤との計量された用量が前記キャニスターから分注されることができるように、前記噴射剤計量室及び前記製品計量室は前記分注ノズルを介して大気と流体連通にあり、
前記製品入口は前記分注ノズルの出口と前記製品計量室の間に位置決めされる、
計量弁。
【請求項７】
請求項６に記載の計量弁において、前記計量弁ステムは前記計量弁本体の中で前記分注位置と少なくとも１つの充填位置の間を可動であり、前記充填位置では、
使用時に噴射剤が前記噴射剤入口を介して前記噴射剤計量室に進入することができるように及び／又は製品が前記製品入口を介して前記製品計量室に進入することができるように、前記噴射剤入口と前記製品入口の少なくとも一方が開かれ、
前記噴射剤計量室と前記製品計量室の間に流体連通が阻止され、
前記計量弁本体と大気の間に流体連通が阻止される、
計量弁。
【請求項８】
請求項７に記載の計量弁において、前記分注ノズルは、側面ポート及び軸方向端面ポートを有する中空管を備えており、前記充填位置では、前記側面ポートと前記軸方向端面ポートはどちらも前記製品計量室から隔離され、その結果、前記製品計量室と前記分注ノズルの間に流体連通は無い、計量弁。
【請求項９】
製品の計量された用量を、前記製品と噴射剤を収容しているキャニスターから分注するための計量弁であって、前記弁は、
噴射剤計量室及び製品計量室を備える計量弁本体と、
前記計量弁本体の中に収納されている計量弁ステムであって、前記製品計量室から延びる第１軸方向端の分注ノズル及び前記噴射剤計量室から延びる前記計量弁ステムの反対側の第２軸方向端部分を有している計量弁ステムと、を備え、
前記計量弁ステムは、
前記計量弁ステムの中を軸方向に延びる製品路と、
前記計量弁ステムの中を軸方向に延びる噴射剤路と、を備え、
前記計量弁ステムは前記計量弁本体の中を分注位置へ可動であり、前記分注位置では、
前記製品路と前記製品計量室の間に流体連通は無く、
前記噴射剤路と前記噴射剤計量室の間に流体連通は無く、及び、
前記噴射剤計量室及び前記製品計量室は、製品及び噴射剤の計量された用量が前記計量弁本体から分注されることができるように、前記計量弁ステムの前記分注ノズルを介して大気と流体連通にある、
計量弁。
【請求項１０】
請求項９に記載の計量弁において、前記分注位置では、前記製品路と前記製品計量室の間の流体連通は、前記製品路の前記製品計量室からの隔離によって阻止され、前記計量弁本体は、第１軸方向端壁、中間壁、及び第２軸方向端壁を備え、前記製品計量室は前記第１軸方向端壁と前記中間壁によって画定され、前記噴射剤計量室は前記中間端壁と前記第２軸方向端壁によって画定され、前記製品路は前記計量弁ステムの中で前記製品路の第１軸方向端の製品出口と前記計量弁ステムの前記第２軸方向端部分内の前記製品路の第２軸方向端の製品入口の間を軸方向に延びており、前記製品出口は前記分注位置では前記計量弁本体の前記中間壁によって閉塞される、計量弁。
【請求項１１】
請求項９又は請求項１０に記載の計量弁において、前記分注位置では、前記噴射剤路と前記噴射剤計量室の間の流体連通は、前記噴射剤路の前記噴射剤計量室からの隔離によって阻止され、前記噴射剤路は、前記計量弁ステムに沿って、前記噴射剤路の第１軸方向端の噴射剤出口開口部／端と前記計量弁ステムの前記第２軸方向端部分内の前記路の第２軸方向端の噴射剤入口開口部／端の間を軸方向に延びており、前記噴射剤路の前記噴射剤計量室からの隔離は、前記噴射剤路の閉塞によって又は前記噴射剤出口開口部／端を前記噴射剤計量室の外に位置決めすることによって実現される、計量弁。
【請求項１２】
請求項９から請求項１１の何れか一項に記載の計量弁において、前記計量弁ステムは前記計量弁本体の中で前記分注位置と少なくとも１つの充填位置の間を可動であり、前記充填位置では、
使用時に製品が前記計量弁ステムを通って前記製品路経由で前記製品計量室に進入することができるように及び／又は噴射剤が前記計量弁ステムを通って前記噴射剤路経由で前記噴射剤計量室に進入することができるように、前記製品路と前記製品計量室は流体連通にあり及び／又は前記噴射剤路と前記噴射剤計量室は流体連通にあり、
前記噴射剤計量室と前記製品計量室の間に流体連通は無く、及び、
前記計量弁本体と大気の間に流体連通は無い、
計量弁。
【請求項１３】
請求項１２に記載の計量弁において、前記充填位置では前記製品路は閉塞されず、前記製品路は前記計量弁ステムの中で前記製品路の第１軸方向端の製品出口と前記計量弁ステムの前記第２軸方向端部分内の前記製品路の第２軸方向端の製品入口の間を軸方向に延びており、前記製品出口は前記充填位置では前記製品計量室の中に位置決めされる、
計量弁。
【請求項１４】
請求項１２又は請求項１３に記載の計量弁において、前記分注ノズルは、側面ポート及び軸方向端面ポートを有する中空管を備えており、前記充填位置では、前記側面ポートと前記軸方向端面ポートはどちらも前記製品計量室から隔離され、その結果、前記製品計量室と前記分注ノズルの間に流体連通は無い、計量弁。
【請求項１５】
請求項１４に記載の計量弁において、前記側面ポートは前記充填位置では閉塞され、前記計量弁本体は、第１軸方向端壁、中間壁、及び第２軸方向端壁を備え、前記製品計量室は前記第１軸方向端壁と前記中間壁によって画定され、前記噴射剤計量室は前記中間端壁と前記第２軸方向端壁によって画定され、前記中間壁には、前記製品計量室の中を軸方向に延びていて前記分注ノズルを包囲している管状閉塞壁が設けられており、前記閉塞壁は前記充填位置では前記側面ポートを閉塞する、計量弁。
【国際調査報告】
2019534828.tif 000013
2019534828.tif 000014
2019534828.tif 000015
2019534828.tif 000016
2019534828.tif 000017
2019534828.tif 000018